(57)【要約】  本開示は、無線通信システムのネットワークノードにより運用される第１のセル内に位置する無線デバイスにおいて実行される方法に関する。当該方法は、ある時間ピリオドの期間中に少なくとも１つの自律的ギャップを用いて第２のセルのシステム情報を取得すること（５１０）、を含む。前記無線デバイスは、前記時間ピリオドの少なくとも一部の期間中に前記第１のセルにおいてフレキシブルサブフレーム割り当て方式で構成される。上記方法は、前記フレキシブルサブフレーム割り当て方式に関連付けられる、アップリンクフィードバック信号の最小数に対応する値Ｎｍｉｎを取得すること（５２０）、をさらに含む。上記方法は、前記時間ピリオドの期間中のダウンリンクデータへの応答として、少なくとも前記最小数Ｎｍｉｎのアップリンクフィードバック信号を送信すること（５３０）、をも含む。本開示は、ネットワークノードにおける方法、並びに無線デバイス及びネットワークノードにも関する。【選択図】図２
2017510147.tif 000002
【特許請求の範囲】
【請求項１】
無線通信システム（１００）のネットワークノード（１２０）により運用される第１のセル（１０１）内に位置する無線デバイス（１１０）において実行される方法であって、
ある時間ピリオドの期間中に少なくとも１つの自律的ギャップを用いて第２のセルのシステム情報を取得すること（５１０）と、前記無線デバイスは、前記時間ピリオドの少なくとも一部の期間中に前記第１のセルにおいてフレキシブルサブフレーム割り当て方式で構成されることと、
前記フレキシブルサブフレーム割り当て方式に関連付けられる、アップリンクフィードバック信号の最小数に対応する値Ｎｍｉｎを取得すること（５２０）と、
前記時間ピリオドの期間中のダウンリンクデータへの応答として、少なくとも前記最小数Ｎｍｉｎのアップリンクフィードバック信号を送信すること（５３０）と、
を含む方法。
【請求項２】
前記ネットワークノードから、前記第２のセルの前記システム情報をレポートするためのリクエストを受信すること（５０５）と、前記システム情報は、前記リクエストへの応答として取得されること（５１０）と、
をさらに含む、請求項１に記載の方法。
【請求項３】
取得された前記システム情報を前記ネットワークノードへ送信すること（５４０）、
をさらに含む、請求項１又は請求項２に記載の方法。
【請求項４】
前記システム情報は、前記第２のセルを一意に識別する情報を含む、請求項１〜３のいずれかに記載の方法。
【請求項５】
前記アップリンクフィードバック信号は、前記第１のセルにおいて前記ネットワークノードから受信されるダウンリンクデータへの応答として、前記第１のセルにおいて送信される、請求項１〜４のいずれかに記載の方法。
【請求項６】
前記値Ｎｍｉｎを取得すること（５２０）は、
前記値Ｎｍｉｎを含む前記ネットワークノードからの情報を受信することと、
前記無線デバイス内に記憶されている前記値Ｎｍｉｎを取り出すことと、
予め定義されるルール、数式又は関数に基づいて前記値Ｎｍｉｎを導出することと、
のうちの１つを含む、請求項１〜５のいずれかに記載の方法。
【請求項７】
前記無線デバイスは、前記ネットワークノードから受信される構成情報に基づいて、前記フレキシブルサブフレーム割り当て方式で構成される、請求項１〜６のいずれかに記載の方法。
【請求項８】
前記第１のセルは、サービングセル、マルチキャリア動作でのＰＣｅｌｌ、又はマルチキャリア動作でのＳＣｅｌｌ、のうちの１つである、請求項１〜７のいずれかに記載の方法。
【請求項９】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項１〜８のいずれかに記載の方法。
【請求項１０】
前記アップリンクフィードバック信号は、ハイブリッド自動再送要求フィードバックの一部としての、確認応答信号及び否定応答信号を含む、請求項１〜９のいずれかに記載の方法。
【請求項１１】
第１のセル（１０１）を運用する無線通信システム（１００）のネットワークノード（１２０）において実行される方法であって、前記第１のセル（１０１）により無線デバイス（１１０）がサービスされ、
前記無線デバイスが第２のセルのシステム情報を取得する時間ピリオドの少なくとも一部の期間中に、前記第１のセル内でフレキシブルサブフレーム割り当て方式で動作するように前記無線デバイスを構成する構成情報を、前記無線デバイスへ送信すること（６１０）と、
前記時間ピリオドの期間中のダウンリンクデータへの応答として前記無線デバイスが送信するものとされるアップリンクフィードバック信号の最小数に対応する、前記フレキシブルサブフレーム割り当て方式に関連付けられる値Ｎｍｉｎを取得すること（６２０）と、
前記時間ピリオドの期間中に前記第１のセルにおいて前記無線デバイスへダウンリンクデータを送信すること（６３０）と、
送信された前記ダウンリンクデータへの応答として、前記第１のセルにおいて、少なくとも前記最小数Ｎｍｉｎのアップリンクフィードバック信号を受信すること（６４０）と、
を含む方法。
【請求項１２】
前記第２のセルの前記システム情報をレポートさせるためのリクエストを、前記無線デバイスへ送信すること（６０５）、
をさらに含む、請求項１１に記載の方法。
【請求項１３】
前記第２のセルのシステム情報を、前記無線デバイスから受信すること（６５０）、
をさらに含む、請求項１１〜１２のいずれかに記載の方法。
【請求項１４】
前記システム情報は、前記第２のセルを一意に識別する情報を含む、請求項１１〜１３のいずれかに記載の方法。
【請求項１５】
前記値Ｎｍｉｎを含む情報を、前記無線デバイスへ送信すること（６２５）、
をさらに含む、請求項１１〜１４のいずれかに記載の方法。
【請求項１６】
前記第１のセルは、マルチキャリア動作でのＰＣｅｌｌ又はマルチキャリア動作でのＳＣｅｌｌのうちの１つである、請求項１１〜１５のいずれかに記載の方法。
【請求項１７】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項１１〜１６のいずれかに記載の方法。
【請求項１８】
前記アップリンクフィードバック信号は、ハイブリッド自動再送要求フィードバックの一部としての、確認応答信号及び否定応答信号を含む、請求項１１〜１７のいずれかに記載の方法。
【請求項１９】
前記値Ｎｍｉｎを取得すること（６２０）は、
前記ネットワークノード内に記憶されている前記値Ｎｍｉｎを取り出すことと、
予め定義されるルール、数式又は関数に基づいて前記値Ｎｍｉｎを判定することと、
前記ネットワークノードの前記バッファ内の、前記無線デバイスに関連付けられているデータの量に基づいて前記値Ｎｍｉｎを判定することと、
のうちの１つを含む、請求項１１〜１８のいずれかに記載の方法。
【請求項２０】
前記時間ピリオドの期間中のダウンリンクデータへの応答として前記無線デバイスが送信するものとされるアップリンクフィードバック信号の前記最小数に基づいて、前記無線デバイスのためのスケジューリング方式を適応させることと、
適応された前記スケジューリング方式を用いて、前記無線デバイスをスケジューリングすることと、
をさらに含む、請求項１１〜１９のいずれかに記載の方法。
【請求項２１】
前記時間ピリオドの期間中にダウンリンクデータと共に前記無線デバイスをスケジューリングすることの可能なサブフレームの最小数に基づいて、前記フレキシブルサブフレーム割り当て方式の１つ以上のパラメータを適応させること、
をさらに含み、
前記無線デバイスへ送信（６１０）される前記構成情報は、適応された前記フレキシブルサブフレーム割り当て方式で動作するように前記無線デバイスを構成する、
請求項１１〜２０のいずれかに記載の方法。
【請求項２２】
無線デバイス（１１０）であって、
無線通信システム（１００）のネットワークノード（１２０）により運用される第１のセル（１０１）内に位置する場合に、
ある時間ピリオドの少なくとも一部の期間中に前記第１のセルにおいてフレキシブルサブフレーム割り当て方式で構成され、
前記時間ピリオドの期間中に少なくとも１つの自律的ギャップを用いて第２のセルのシステム情報を取得し、
前記フレキシブルサブフレーム割り当て方式に関連付けられる、アップリンクフィードバック信号の最小数に対応する値Ｎｍｉｎを取得し、
前記時間ピリオドの期間中のダウンリンクデータへの応答として、少なくとも前記最小数Ｎｍｉｎのアップリンクフィードバック信号を送信する、
ように構成される、無線デバイス（１１０）。
【請求項２３】
前記ネットワークノードから、前記第２のセルの前記システム情報をレポートするためのリクエストを受信し、
前記リクエストへの応答として前記システム情報を取得する、
ようにさらに構成される、請求項２２に記載の無線デバイス（１１０）。
【請求項２４】
取得された前記システム情報を前記ネットワークノードへ送信する、
ようにさらに構成される、請求項２２〜２３のいずれかに記載の無線デバイス（１１０）。
【請求項２５】
前記第２のセルを一意に識別する情報を含む前記システム情報を取得する、ように構成される、請求項２２〜２４のいずれかに記載の無線デバイス（１１０）。
【請求項２６】
前記第１のセルにおいて前記ネットワークノードから受信されるダウンリンクデータへの応答として、前記第１のセルにおいて前記アップリンクフィードバック信号を送信する、ように構成される、請求項２２〜２５のいずれかに記載の無線デバイス（１１０）。
【請求項２７】
前記値Ｎｍｉｎを含む前記ネットワークノードからの情報を受信すること、
前記無線デバイス内に記憶されている前記値Ｎｍｉｎを取り出すこと、及び
予め定義されるルール、数式又は関数に基づいて前記値Ｎｍｉｎを導出すること、
のうちの１つにより、前記値Ｎｍｉｎを取得する、
ように構成される、請求項２２〜２６のいずれかに記載の無線デバイス（１１０）。
【請求項２８】
前記ネットワークノードから受信される構成情報に基づいて、前記フレキシブルサブフレーム割り当て方式で構成される、請求項２２〜２７のいずれかに記載の無線デバイス（１１０）。
【請求項２９】
前記第１のセルは、サービングセル、マルチキャリア動作でのＰＣｅｌｌ、又はマルチキャリア動作でのＳＣｅｌｌ、のうちの１つである、請求項２２〜２８のいずれかに記載の無線デバイス（１１０）。
【請求項３０】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項２２〜２９のいずれかに記載の無線デバイス（１１０）。
【請求項３１】
前記アップリンクフィードバック信号は、ハイブリッド自動再送要求フィードバックの一部としての、確認応答信号及び否定応答信号を含む、請求項２２〜３０のいずれかに記載の無線デバイス（１１０）。
【請求項３２】
第１のセル（１０１）を運用するように構成される無線通信システム（１００）のためのネットワークノード（１２０）であって、前記第１のセル（１０１）により無線デバイス（１１０）がサービスされ、
前記無線デバイスが第２のセルのシステム情報を取得する時間ピリオドの少なくとも一部の期間中に、前記第１のセル内でフレキシブルサブフレーム割り当て方式で動作するように前記無線デバイスを構成する構成情報を、前記無線デバイスへ送信し、
前記時間ピリオドの期間中のダウンリンクデータへの応答として前記無線デバイスが送信するものとされるアップリンクフィードバック信号の最小数に対応する、前記フレキシブルサブフレーム割り当て方式に関連付けられる値Ｎｍｉｎを取得し、
前記時間ピリオドの期間中に前記第１のセルにおいて前記無線デバイスへダウンリンクデータを送信し、
送信された前記ダウンリンクデータへの応答として、前記第１のセルにおいて、少なくとも前記最小数Ｎｍｉｎのアップリンクフィードバック信号を受信する、
ようにさらに構成される、ネットワークノード（１２０）。
【請求項３３】
前記第２のセルの前記システム情報をレポートさせるためのリクエストを、前記無線デバイスへ送信する、
ようにさらに構成される、請求項３２に記載のネットワークノード（１２０）。
【請求項３４】
前記第２のセルのシステム情報を、前記無線デバイスから受信する、
ようにさらに構成される、請求項３２〜３３のいずれかに記載のネットワークノード（１２０）。
【請求項３５】
前記システム情報は、前記第２のセルを一意に識別する情報を含む、請求項３２〜３４のいずれかに記載のネットワークノード（１２０）。
【請求項３６】
前記値Ｎｍｉｎを含む情報を、前記無線デバイスへ送信する、
ようにさらに構成される、請求項３２〜３５のいずれかに記載のネットワークノード（１２０）。
【請求項３７】
前記第１のセルは、マルチキャリア動作でのＰＣｅｌｌ又はマルチキャリア動作でのＳＣｅｌｌのうちの１つである、請求項３２〜３６のいずれかに記載のネットワークノード（１２０）。
【請求項３８】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項３２〜３７のいずれかに記載のネットワークノード（１２０）。
【請求項３９】
前記アップリンクフィードバック信号は、ハイブリッド自動再送要求フィードバックの一部としての、確認応答信号及び否定応答信号を含む、請求項３２〜３８のいずれかに記載のネットワークノード（１２０）。
【請求項４０】
前記ネットワークノード内に記憶されている前記値Ｎｍｉｎを取り出すこと、
予め定義されるルール、数式又は関数に基づいて前記値Ｎｍｉｎを判定すること、及び
前記ネットワークノードの前記バッファ内の、前記無線デバイスに関連付けられているデータの量に基づいて前記値Ｎｍｉｎを判定すること、
のうちの１つにより、前記値Ｎｍｉｎを取得する、
ように構成される、請求項３２〜３８のいずれかに記載のネットワークノード（１２０）。
【請求項４１】
前記時間ピリオドの期間中のダウンリンクデータへの応答として前記無線デバイスが送信するものとされるアップリンクフィードバック信号の前記最小数に基づいて、前記無線デバイスのためのスケジューリング方式を適応させ、
適応された前記スケジューリング方式を用いて、前記無線デバイスをスケジューリングする、
ようにさらに構成される、請求項３２〜４０のいずれかに記載のネットワークノード（１２０）。
【請求項４２】
前記時間ピリオドの期間中にダウンリンクデータと共に前記無線デバイスをスケジューリングすることの可能なサブフレームの最小数に基づいて、前記フレキシブルサブフレーム割り当て方式の１つ以上のパラメータを適応させ、
適応された前記フレキシブルサブフレーム割り当て方式で動作するように前記無線デバイスを構成する構成情報を、前記無線デバイスへ送信する、
ようにさらに構成される、請求項３２〜４１のいずれかに記載のネットワークノード（１２０）。
【請求項４３】
無線デバイス（１１０）上で実行される場合に、前記無線デバイスに請求項１〜１０のいずれかに記載の方法を行わせるコンピュータ読取可能なコード、を含むコンピュータプログラム（７０１）。
【請求項４４】
ネットワークノード（１２０）上で実行される場合に、前記ネットワークノードに請求項１１〜２１のいずれかに記載の方法を行わせるコンピュータ読取可能なコード、を含むコンピュータプログラム（７９１）。
【請求項４５】
コンピュータ読取可能な媒体（７０３，７９３）と、前記コンピュータ読取可能な媒体に記憶される請求項４３〜４４のいずれかに記載のコンピュータプログラム（７０１，７９１）と、を含むコンピュータプログラムプロダクト（７０２，７９２）。
【発明の詳細な説明】
【技術分野】
【０００１】
ここでの実施形態は、電気通信システムなどの無線通信システムに関する。フレキシブルサブフレーム動作が構成される際のシステム情報（ＳＩ）取得の期間中のアップリンク（ＵＬ）フィードバックを管理するための方法及び無線デバイス、並びに、フレキシブルサブフレーム動作が構成される際のＳＩ取得の期間中に無線デバイスがＵＬフィードバックを管理することを支援するための方法及びネットワークノードが開示される。そのうえ、対応するコンピュータプログラム及びコンピュータプログラムプロダクトが開示される。
【背景技術】
【０００２】
通信システム内で、その時点のトラフィック条件にＵＬ及びダウンリンク（ＤＬ）サブフレームの数をより良好に適応させる目的で、フレキシブルサブフレーム方式を適用することが可能である。例えば、存在するのがほとんどＤＬトラフィックである場合、多くのＤＬサブフレームを伴う方式を使用することが好適である。
【０００３】
［ダイナミック時間分割複信におけるフレキシブルサブフレーム］
ダイナミック時間分割複信（ＴＤＤ）システムにおいて、一群のサブフレームは固定的なサブフレームであり、即ちそれらは全ての無線フレームにおいてＵＬサブフレーム又はＤＬサブフレームのいずれかであり、一方、その他はフレキシブルサブフレームであり、即ちある無線フレームではそれらはＵＬサブフレームであって他の無線フレームでは同じサブフレームがＤＬサブフレームであるかスペシャルサブフレームでさえあり得る。ＵＬ方向又はＤＬ方向の割り当ては、１つの無線フレーム又は複数の無線フレームごとに、動的なやり方で行われる。フレキシブルサブフレームは、互換可能に、ダイナミックサブフレームとも呼ばれる。
【０００４】
表１は、既存のＴＤＤコンフィグレーション（ＵＬ−ＤＬコンフィグレーション又はＴＤＤ  ＵＬ−ＤＬコンフィグレーションとしても知られる）を示している。
【０００５】
【表１】
2017510147.tif 000003
【０００６】
図１ａは、２つのレガシーＴＤＤコンフィグレーション（コンフィグレーション０及び２）から行われるダイナミックＴＤＤコンフィグレーションの一例を示している。ＴＤＤコンフィグレーションは、ＵＬ／ＤＬサブフレームコンフィグレーションとも呼ばれる。
【０００７】
［フレキシブルサブフレームの構成］
フレキシブルサブフレームは、あるセル内で構成される。また、ＵＥは、シグナリングの手段によりフレキシブルサブフレームについて通知をされる。本文書において、サブフレームは、あるＴＤＤコンフィグレーションにおいてＵＬサブフレームであって別のＴＤＤコンフィグレーションにおいてはＤＬ又はスペシャルサブフレームである場合に、フレキシブルであるものとして言及される。より具体的には、サブフレームは、あるＴＤＤコンフィグレーションにおいてＵＬサブフレームであって他のＴＤＤコンフィグレーションにおいてＤＬサブフレーム又はスペシャルサブフレームである場合に、フレキシブルサブフレームであり得る。また、サブフレームは、あるＴＤＤコンフィグレーションにおいてＵＬサブフレームであって別のＴＤＤコンフィグレーションにおいてＤＬサブフレームである場合にも、フレキシブルであり得る。同じセル内で異なる無線フレームにおいて、又は、異なるセル内で同じ若しくは異なる無線フレームの期間中に、第１及び第２のＴＤＤコンフィグレーションを使用することができる。ＴＤＤコンフィグレーションは、互換可能に、ＵＬ−ＤＬコンフィグレーション又はスペシャルサブフレームコンフィグレーションとも呼ばれてよい。２つのコンフィグレーションは、ＵＬスケジューリング及びＨＡＲＱ（Hybrid  Automatic  Repeat  Request）タイミングのために使用されるコンフィグレーション及びＤＬ  ＨＡＲＱタイミングのために使用されるコンフィグレーションのいずれかであってもよい。さもなければ、それは例えば表１のコンフィグレーション０及び５のような固定的なコンフィグレーションに基づくかもしれない。この例（コンフィグレーション０及び５）では、サブフレーム｛３，４，７，８，９｝がフレキシブルであるはずである。
【０００８】
現在のところ、３ＧＰＰにおいて、例えば１０、２０、４０、８０ｍｓというピリオドなど、ある時間ピリオドにわたって適用されることになるＴＤＤコンフィグレーションが、ＤＬ制御情報（ＤＣＩ）フォーマット１Ｃの手段によってＵＥへ通信されるものと議論されている。ＵＥは、その時点の無線フレームから、又は後続の何らかの無線フレームにおいて、このコンフィグレーションを適用する必要があるであろう。
【０００９】
［半二重動作におけるフレキシブルサブフレーム］
半二重（ＨＤ）では、又はより具体的にはＨＤ周波数分割複信（ＨＤ−ＦＤＤ）では、ＵＬ送信及びＤＬ送信は、ペアリングされた異なるキャリア周波数上で発生し、但し同じセル内で時間的に同時ではない。これは、ＵＬ送信及びＤＬ送信が異なるタイムスロット又はサブフレームにおいて発生することを意味する。言い換えれば、ＵＬサブフレーム及びＤＬサブフレームは、時間的に重複しない。ＤＬ、ＵＬのために使用されるサブフレーム及び未使用のサブフレームの数及び位置は、１つの無線フレーム又は複数の無線フレームごとに変化し得る。例えば、１つのフレーム（フレーム＃１とする）において、ＤＬのためにサブフレーム９、０、４及び５が使用され、ＵＬ送信のためにサブフレーム２、５及び７が使用される。しかし、他のフレーム（フレーム＃２とする）において、ＤＬのためにサブフレーム０及び５が使用され、ＵＬ送信のためにサブフレーム２、３、５、７及び８が使用される。いくつかのサブフレームは、ＵＬサブフレームとＤＬサブフレームとの間の切り替えを考慮に入れて未使用である。この例では、サブフレーム３、４、８及び９が、無線フレーム＃１及び＃２にわたってＵＬ、ＤＬ及び未使用サブフレームの間で変化することから、フレキシブルサブフレームであると見なされ得る。
【００１０】
［自律的ギャップを用いたＳＩ取得］
ＨＳＰＡ（High  Speed  Packet  Access）及びＬＴＥ（Long  Term  Evolution）において、サービングセルは、ターゲットセルのＳＩを取得することをＵＥへリクエストすることができる。より具体的には、ターゲットセルを一意に識別するセルグローバル識別子（ＣＧＩ）を取得するために、ＳＩはＵＥにより読み取られる。
【００１１】
ＵＥは、例えば、ＨＳＰＡでは無線ネットワークコントローラ（ＲＮＣ）から、ＬＴＥのケースではｅＮｏｄｅＢからの無線リソース制御（ＲＲＣ）シグナリングを介する、サービングネットワークのからの明示的なリクエストの受信後に、ターゲットセル（例えば、イントラ、インター周波数、又はインターＲＡＴのセル）のＳＩを読み取る。そして、取得されるＳＩは、サービングセルへとレポートされる。これらシグナリングメッセージは、関係するＨＳＰＡ仕様及びＬＴＥ仕様内に定義されている。
【００１２】
ＬＴＥでは、ＵＥは、ターゲットセルがＥ−ＵＴＲＡＮイントラ又はインター周波数である場合、（ＦＤＤ又はＴＤＤであり得る）ターゲットＥ−ＵＴＲＡＮ（Evolved  Universal  Terrestrial  Radio  Access  Network）セルのＣＧＩ（Ｅ−ＵＴＲＡＮ  ＣＧＩ（ＥＣＧＩ）としても知られる）を取得するために、ターゲットＥ−ＵＴＲＡＮセルのマスター情報ブロック（ＭＩＢ）及びＳＩブロック＃１（ＳＩＢ１）を読み取らなければならない。ＭＩＢ及びＳＩＢ１は、物理ブロードキャストチャネル（ＰＢＣＨ）及び物理ダウンリンク共有チャネル（ＰＤＳＣＨ）上でそれぞれ予め定義されるスケジューリングインスタンスにおいて送信される。
【００１３】
ターゲットセルのＣＧＩを含むＳＩを取得する目的で、ＵＥは、後に説明される通りのマスター情報ブロック（ＭＩＢ）及び関係するＳＩブロック（ＳＩＢ）を含むＳＩの少なくとも一部を読み取らなければならない。ＳＩの読み取り／復号／取得、ＣＧＩ／ＥＣＧＩの読み取り／復号／取得、ＣＳＧ  ＳＩの読み取り／復号／取得との用語は、互換的に使用されることがある。一貫性のために、より広い用語である“ＳＩの読み取り又は取得”が使用される。
【００１４】
ＣＧＩの取得のためのＳＩの読み取りは、ＵＥにより自律的に生成される測定ギャップの期間中に遂行される。ギャップの数及びそれらのサイズは、よって、ＵＥの実装に依存すると共に、無線条件又は読み取られるべきＳＩのタイプといった他の要因にも依存する。
【００１５】
ＴＤＤイントラ周波数測定について、ＣＧＩのレポートのために自律的ギャップが使用される場合、ＵＥは、Ｔidentify_CGI,intra＝Ｔbasic_identify_CGI,intraｍｓ内にＥ−ＵＴＲＡセルの新たなＣＧＩを識別できることを要し得る。ここで、Ｔbasic_identify_CGI,intraは、Ｅ−ＵＴＲＡセルの新たなＣＧＩをＵＥが識別するための最大許容時間である。Ｔbasic_identify_CGI,intraは、１５０ｍｓに等しい。この要件は、不連続受信（ＤＲＸ）が使用されない場合に適用される。
【００１６】
連続的にＤＬデータが割り当てられ、ＤＲＸが使用されず、かつ測定ギャップが構成されない場合、ＵＥは、Ｅ−ＵＴＲＡセルの新たなＣＧＩの識別の期間中に、次の表２に記述された数の確認応答／否定応答（ＡＣＫ／ＮＡＣＫ）を少なくとも送信できるものとされている。ここでの連続的な送信は、ネットワークノードがＴbasic_identify_CGI,intraの期間中の全てのＤＬサブフレーム内でデータを送信することを意味する。
【００１７】
【表２】
2017510147.tif 000004
【００１８】
［問題］
ＵＥは、自律的ギャップにおいて非サービングセルのＳＩを取得する。自律的ギャップの期間中に、ＵＥは、サービングセルにおいて受信及び送信を行わず、よって、サービングセルのＳＩを含むいかなる種類のサービング信号も受信できない。これは、ＵＥが一度に１つの物理チャネル（例えば、ＰＢＣＨ、ＰＤＳＣＨ）のみを復号可能であって、ＳＩがＰＢＣＨ及びＰＤＳＣＨ上で送信されるからである。
【００１９】
既存のＬＴＥ  ＴＤＤの解決策では、ＵＥは、静的なＴＤＤコンフィグレーションの下で仕様化され及び適用可能とされている、予め定義されたＳＩ読み取り要件を充足することを要する。このケースでは、ＵＥによりＳＩが取得されるピリオド（Ｔ０）全体にわたって、サービング及び非サービングキャリア上の全てのセル内で、同じＴＤＤコンフィグレーションが使用される。
【００２０】
ある最小のサービングセル性能を保証する目的で、予め定義されるＳＩ読み取り要件によれば、ＵＥは、連続的なＤＬデータ送信に応答して、Ｔ０の期間中に少なくともある数のＡＣＫ／ＮＡＣＫを送信することをも要する。静的なＴＤＤでは、ＨＡＲＱタイミングは固定的であり、送信されるべきＡＣＫ／ＮＡＣＫ数の観点での要件もまた固定的であってＴＤＤコンフィグレーションに依存する。
【００２１】
しかしながら、ダイナミックＴＤＤ又はＨＤ−ＦＤＤといったフレキシブルサブフレーム動作を伴うシステムでは、サブフレームの方向が、時には毎無線フレームとなるほど急速に変化し得る。この場合、Ｔ０の期間中に最小数のＡＣＫ／ＮＡＣＫを送信するという観点でのＵＥの振る舞いは、仕様化されていない。これは、フレキシブルサブフレーム動作を伴う場合に、ＵＥがいかなる要件にも準拠しないことを意味し、よって、以下の問題の１つ以上がもたらされる：
・ＳＩ取得の期間中のデータ受信及び送信の観点でのサービングセル性能の劣化
・ＵＥがネットワークノードにより送信されるスケジューリンググラントを使用可能でないかもしれないことによる、スケジューリンググラントの損失
・ＵＥがＴ０の期間中に必要数に満たない自律的ギャップしか生成しない場合の、ＳＩ読み取り性能の劣化又はＳＩ取得の失敗
【発明の概要】
【発明が解決しようとする課題】
【００２２】
目的は、上で言及した問題のうちの１つ以上を軽減し又は少なくとも減少させることであり得る。この目的及び他の目的は、独立項に係る方法、無線デバイス及びネットワークノードにより達成され、並びに従属項に係る実施形態により達成される。
【課題を解決するための手段】
【００２３】
第１の側面によれば、上記目的は、フレキシブルサブフレーム動作が構成される際のシステム情報の取得の期間中のＵＬフィードバックを管理するための、無線デバイス又はユーザ機器（ＵＥ）により実行される方法により達成される。無線通信システムのネットワークノードにより運用される第１のセル内に位置する無線デバイスにおいて実行される方法が提供され、当該方法は、ある時間ピリオドの期間中に少なくとも１つの自律的ギャップを用いて第２のセルのシステム情報を取得すること、を含む。上記無線デバイスは、上記時間ピリオドの少なくとも一部の期間中に上記第１のセルにおいてフレキシブルサブフレーム割り当て方式で構成される。上記方法は、さらに、上記フレキシブルサブフレーム割り当て方式に関連付けられる、ＵＬフィードバック信号の最小数に対応する値Ｎｍｉｎを取得すること、をさらに含む。上記方法は、上記時間ピリオドの期間中のＤＬデータへの応答として、少なくとも上記最小数ＮｍｉｎのＵＬフィードバック信号を送信すること、をも含む。
【００２４】
第２の側面によれば、上記目的は、無線通信システムのネットワークノードにより運用される第１のセル内に位置する場合に、ある時間ピリオドの期間中に少なくとも１つの自律的ギャップを用いて第２のセルのシステム情報を取得するように構成される無線デバイスにより達成される。上記無線デバイスは、上記時間ピリオドの少なくとも一部の期間中に上記第１のセルにおいてフレキシブルサブフレーム割り当て方式で構成される。上記無線デバイスは、上記フレキシブルサブフレーム割り当て方式に関連付けられる、アップリンクフィードバック信号の最小数に対応する値Ｎｍｉｎを取得する、ようにも構成される。上記無線デバイスは、上記時間ピリオドの期間中のＤＬデータへの応答として、少なくとも上記最小数ＮｍｉｎのＵＬフィードバック信号を送信する、ようにさらに構成される。
【００２５】
第３の側面によれば、上記目的は、フレキシブルサブフレーム動作が構成される際のシステム情報の取得の期間中のＵＬフィードバックを無線デバイスが管理することを支援するための、ネットワークノードにより実行される方法により達成される。第１のセルを運用する無線通信システムの上記ネットワークノードにおいて実行される方法が提供される。上記第１のセルにより無線デバイスがサービスされる。上記方法は、上記無線デバイスが第２のセルのシステム情報を取得する時間ピリオドの少なくとも一部の期間中に、上記第１のセル内でフレキシブルサブフレーム割り当て方式で動作するように上記無線デバイスを構成する構成情報を、上記無線デバイスへ送信すること、を含む。上記方法は、上記時間ピリオドの期間中のＤＬデータへの応答として上記無線デバイスが送信するものとされるＵＬフィードバック信号の最小数に対応する、上記フレキシブルサブフレーム割り当て方式に関連付けられる値Ｎｍｉｎを取得すること、をも含む。上記方法は、上記時間ピリオドの期間中に上記第１のセルにおいて上記無線デバイスへＤＬデータを送信することと、送信された上記ＤＬデータへの応答として、上記第１のセルにおいて、少なくとも上記最小数ＮｍｉｎのＵＬフィードバック信号を受信することと、をさらに含む。
【００２６】
第４の側面によれば、上記目的は、第１のセルを運用するように構成される無線通信システムのためのネットワークノードにより達成される。上記第１のセルにより無線デバイスがサービスされる。上記ネットワークノードは、上記無線デバイスが第２のセルのシステム情報を取得する時間ピリオドの少なくとも一部の期間中に、上記第１のセル内でフレキシブルサブフレーム割り当て方式で動作するように上記無線デバイスを構成する構成情報を、上記無線デバイスへ送信する、ようにさらに構成される。上記ネットワークノードは、上記時間ピリオドの期間中のＤＬデータへの応答として上記無線デバイスが送信するものとされるＵＬフィードバック信号の最小数に対応する、上記フレキシブルサブフレーム割り当て方式に関連付けられる値Ｎｍｉｎを取得する、ようにも構成される。さらに、上記ネットワークノードは、上記時間ピリオドの期間中に上記第１のセルにおいて上記無線デバイスへＤＬデータを送信し、送信された上記ＤＬデータへの応答として、上記第１のセルにおいて、少なくとも上記最小数ＮｍｉｎのＵＬフィードバック信号を受信する、ようにさらに構成される。
【００２７】
さらなる側面によれば、上記目的は、上の側面に対応するコンピュータプログラム及びコンピュータプログラムプロダクトにより達成される。
【発明の効果】
【００２８】
上の様々な側面の１つの利点は、フレキシブルサブフレーム構成が使用される場合でさえも、ＵＥがシステム情報を取得する時間ピリオドの期間中にサービングセル性能が保証されることである。その性能は、ＵＥがサービングセルからデータを受信することのできるＤＬサブフレームの何らかの最小数の観点で保証される。
【００２９】
上の様々な側面の他の利点は、フレキシブルサブフレーム構成が使用される場合でさえも、ＵＥがＳＩを取得する時間ピリオドの期間中の連続的なＤＬデータ送信への応答として最小数のＡＣＫ／ＮＡＣＫを送信するというケイパビリティの観点で、ＵＥの振る舞いが仕様化され及び明確となることである。
【００３０】
他の利点は、ＵＥがあるセルのＳＩを取得する際にネットワークノードがスケジューリンググラントをより良好に利用し得ること、第２のセルのＳＩの取得が予め定義される期間中に正確に実行され得ること、及び、上記時間ピリオドの期間中にＳＩを取得するために必要十分な数の自律的ギャップをＵＥが生成することが可能となることである。
【図面の簡単な説明】
【００３１】
ここで開示される実施形態の態様な側面が、それらの特定の特徴及び利点を含めて、以下の詳細な説明及び添付図面から容易に理解されるであろう。
【００３２】
【図１ａ】２つのレガシーＴＤＤコンフィグレーションからなされる、ダイナミックＴＤＤコンフィグレーションの概略図である。
【図１ｂ】ここでの実施形態が実装され得る例示的な無線通信システム１００の概略図である。
【図２】実施形態に係る例示的な方法を概略的に示すフローチャートである。
【図３ａ】本発明のいくつかの実施形態に係る無線デバイスにおける例示的な方法を示すフローチャートである。
【図３ｂ】本発明のいくつかの実施形態に係る無線デバイスを概略的に示すブロック図である。
【図４ａ】本発明のいくつかの実施形態に係るネットワークノードにおける例示的な方法を示すフローチャートである。
【図４ｂ】本発明のいくつかの実施形態に係る無線デバイスを概略的に示すブロック図である。
【図５ａ】本発明のいくつかの実施形態に係る無線デバイスにおける方法を示すフローチャートである。
【図５ｂ】本発明のいくつかの実施形態に係る無線デバイスにおける方法を示すフローチャートである。
【図６ａ】本発明のいくつかの実施形態に係るネットワークノードにおける方法を示すフローチャートである。
【図６ｂ】本発明のいくつかの実施形態に係るネットワークノードにおける方法を示すフローチャートである。
【図７ａ】本発明のいくつかの実施形態に係る無線デバイスを概略的に示すブロック図である。
【図７ｂ】本発明のいくつかの実施形態に係るネットワークノードを概略的に示すブロック図である。
【発明を実施するための形態】
【００３３】
本発明の実施形態において、ＳＩ取得の期間中のデータ送受信の観点での劣化するサービングセル性能の問題は、無線デバイスがフレキシブルサブフレーム割り当て方式で構成される場合に生じ、無線デバイスがＳＩを取得する時間ピリオド内のＤＬデータへの応答として無線デバイスが少なくとも最小数ＮｍｉｎのＵＬフィードバック信号を送信するという解決策により解決される。値Ｎｍｉｎは、無線デバイスが構成されるフレキシブルサブフレーム割り当て方式に関連付けられ、よって、無線デバイスにより取得され得ると共に、無線デバイスにサービスするネットワークノードにより取得され得る。値Ｎｍｉｎは、よって、サービングセル性能をあるレベルに保証することができるように設定され得る。性能は、無線デバイスが自律的ギャップを使用して他のセルのＳＩを取得する時間ピリオド内にサービングセルからＵＥがデータを受信できるＤＬサブフレームの何らかの最小数の観点で保証される。
【００３４】
従来技術の問題をさらに説明するために、留意されることは、TS36.133  Rel-12  version12.2.0によると、“reportCGI”の目的での測定のためにネットワークによりリクエストされた場合にＵＥがＣＧＩを識別し及びレポートするものとされていることである。ＵＥは、ＭＩＢ及びＳＩＢ１メッセージを受信するために、ＤＬ受信及びＵＬ送信内に自律的ギャップを設け得る。
【００３５】
TS36.133“E-UTRA  TDD  intra-frequency  measurement  with  autonomous  gap”のセクション8.1.2.2.4から、次のような結論が導かれ得る。イントラ周波数測定のケースでは、ＵＥは、Ｔidentify_CGI,intra＝Ｔbasic_identify_CGI,intraの間にＥ−ＵＴＲＡの新たなＣＧＩを識別できることを要し得る。ここで、Ｔbasic_identify_CGI,intra＝１５０ｍｓである。これは、リファレンス信号受信電力（ＲＳＲＰ）がある副次的な条件を充足することを要し得ることを意味する。ＣＧＩを識別するための最大時間、及びＲＳＲＰについての副次的な条件の充足という上記要件に加えて、ＵＥは、Ｔidentify_CGI,intraｍｓの期間中にある数のＡＣＫ／ＮＡＣＫを送信することを要する。この数は、ＴＤＤ  ＵＬ／ＤＬコンフィグレーションに依存し、背景技術欄の表２に示されている。
【００３６】
しかしながら、ダイナミックＴＤＤでは、異なる複数の無線フレームが異なるＴＤＤコンフィグレーションを有するかもしれず、従って、ＴＤＤ  ＵＬ／ＤＬコンフィグレーションに依存するＴidentify_CGI,intraｍｓの期間中にＵＥがある数のＡＣＫ／ＮＡＣＫを送信しなければならないという上記要件は、適用可能ではない。従って、ダイナミックＴＤＤのケースでは、いくつのＡＣＫ／ＮＡＣＫをＵＥがＴidentify_CGI,intraｍｓの期間中に送信しなければならないかという要件は、ＤＬサブフレームの数が最小であるＴＤＤコンフィグレーションに関連する数のＡＣＫ／ＮＡＣＫを少なくとも送信する、ということであろう。ＤＬサブフレームの数が最小であるＴＤＤコンフィグレーションは、ＴＤＤコンフィグレーション０である（背景技術欄の表１参照）。従って、ダイナミックＴＤＤのケースにおいて、ＵＥは、背景技術欄の表２においてＴＤＤコンフィグレーション０向けのＡＣＫ／ＮＡＣＫの最小数として示されている少なくとも１８個のＡＣＫ／ＮＡＣＫを送信することができるものとされる。本結論は、ダイナミックＴＤＤのケースにおいて、自律的ギャップでのイントラ周波数測定について、ＵＥはＴidentify_CGI,intraｍｓの期間中に少なくとも１８個のＡＣＫ／ＮＡＣＫを送信することができるものとする、ということである。
【００３７】
自律的ギャップでのイントラ周波数測定と同様に、TS  36.133“TDD-TDD  and  TDD-FDD  inter-frequency  measurement  with  autonomous  gap”のセクション8.1.2.3.6及び8.1.2.3.7から、インター周波数測定について、次のような結論が導かれ得る。“reportCGI”の目的での測定について自律的ギャップが使用される場合、ＵＥは、Ｔidentify_CGI,inter＝Ｔbasic_identify_CGI,interｍｓの間にＥ−ＵＴＲＡの新たなＣＧＩを識別できるものとされ、ここでＴbasic_identify_CGI,inter＝１５０ｍｓである。
【００３８】
これは、ＲＳＲＰがある副次的な条件を充足することを要し得ることを意味する。ＣＧＩを識別するための最大時間、及びＲＳＲＰについての副次的な条件の充足という上記要件に加えて、ＵＥは、Ｔidentify_CGI,interｍｓの期間中に３０個のＡＣＫ／ＮＡＣＫを送信することを要する。この要件はＴＤＤコンフィグレーション１に基づいて設定されており、なぜならそれが共通的なコンフィグレーションだからである。しかしながら、ダイナミックＴＤＤでは、異なる複数の無線フレームが異なるＴＤＤコンフィグレーションを有するかもしれず、従って、ＴＤＤコンフィグレーション１に基づく上記要件は適用可能ではない。従って、ダイナミックＴＤＤのケースでは、いくつのＡＣＫ／ＮＡＣＫをＵＥがＴidentify_CGI,interｍｓの期間中に送信しなければならないかという要件は、ＤＬサブフレームの数が最小であるＴＤＤコンフィグレーションに関連する数のＡＣＫ／ＮＡＣＫを少なくとも送信する、ということであろう。ＤＬサブフレームの数が最小であるＴＤＤコンフィグレーションは、ＴＤＤコンフィグレーション０である（背景技術欄の表１参照）。従って、ダイナミックＴＤＤのケースにおいて、ＵＥは、背景技術欄の表２においてＴＤＤコンフィグレーション０向けのＡＣＫ／ＮＡＣＫの最小数として示されている少なくとも１８個のＡＣＫ／ＮＡＣＫを送信することができるものとされる。本結論は、ダイナミックＴＤＤのケースにおいて、並びにＴＤＤ−ＴＤＤ及びＴＤＤ−ＦＤＤでの自律的ギャップでのインター周波数測定について、ＵＥはＴidentify_CGI,interｍｓの期間中に少なくとも１８個のＡＣＫ／ＮＡＣＫを送信することができるものとする、ということである。
【００３９】
よって、ｅＩＭＴＡ（Enhanced  Interference  Mitigation  &  Traffic  Adaptation）は３ＧＰＰにより定義されたフレキシブルＴＤＤサブフレーム割り当て方式であるが、ｅＩＭＴＡについての無線リソース管理（ＲＲＭ）要件に関する例示的な実施形態において、次のような結論がなされている：
・ダイナミックＴＤＤのケースにおいて、自律的ギャップでのイントラ周波数測定について、ＵＥは、Ｔidentify_CGI,intraｍｓの期間中に少なくとも（Ｎｍｉｎの一例として）１８個のＡＣＫ／ＮＡＣＫを送信できるものとする。
・ダイナミックＴＤＤのケースにおいて、ＴＤＤ−ＴＤＤ及びＴＤＤ−ＦＤＤの自律的ギャップでのインター周波数測定について、ＵＥは、Ｔidentify_CGI,interｍｓの期間中に少なくとも（Ｎｍｉｎの一例として）１８個のＡＣＫ／ＮＡＣＫを送信できるものとする
【００４０】
以下の説明を通じて、適用可能な場合、同様の要素、ユニット、モジュール、回路、ノード、部品、品目又は特徴を表すために、同様の参照番号が使用されている。図中で、いくつかの実施形態にのみ現れる特徴は、破線で示される。
【００４１】
図１ｂは、ここでの実施形態が実装され得る例示的な無線通信システム１００を描いている。この例において、無線通信システム１００は、ＬＴＥシステムである。他の例において、無線通信システムは、ＵＭＴＳ（Universal  Mobile  Telecommunication  System）、ＷＣＤＭＡ（Wideband  Code  Division  Multiple  Access）ネットワーク、又はＧＳＭ（Global  System  for  Mobile  communication）などといった、いかなる３ＧＰＰ無線通信システムであってもよい。無線通信システム１００は、上述したシステムの任意の１つ又はそれらの組み合わせの進化版であってさえもよい。さらに、それら実施形態は、ＵＥが単一のキャリアによりサービスされる（シングルキャリア動作ともいう）ように構成され、又はネットワークノード内の単一のキャリアを使用するように構成される形で説明される。しかしながら、それら実施形態は、マルチキャリア動作又はキャリアアグリゲーション動作にも適用可能である。
【００４２】
無線通信システム１００は、ここで第１のネットワークノードとして言及されるネットワークノード１２０を含む。本明細書で使用されるところによれば、「ネットワークノード」という用語は、無線ネットワークノード、基地局（ＢＳ）、基地送受信局（ＢＴＳ）、無線基地局（ＲＢＳ）、リモート無線ユニット（ＲＲＵ）若しくはリモート無線ヘッド（ＲＲＨ）、アクセスポイント、いわゆる第３世代（３Ｇ）ネットワークにおけるＮｏｄｅＢ、ＬＴＥネットワークにおける拡張ＮｏｄｅＢ、ｅＮｏｄｅＢ若しくはｅＮＢ、リレーノード、中継機を制御するドナーノード、送信ポイント若しくはノード、分散アンテナシステム（ＤＡＳ）におけるノード、又はコアネットワークノードなどへの言及であってよい。ＵＴＲＡＮ（UMTS  Terrestrial  Radio  Access  Network）ネットワークでは、「無線ネットワークノード」との用語は、無線ネットワークコントローラへの言及でもあり得る。さらに、ＧＥＲＡＮ（Global  System  for  Mobile  Communications  (GSM)  EDGE  Radio  Access  Network）においては、ＥＤＧＥはEnhanced  Data  rates  for  GSM  Evolutionの短縮形であるが、「無線ネットワークノード」との用語は、基地局コントローラ（ＢＳＣ）への言及であってもよい。
【００４３】
ネットワークノード１２０は、マクロセル、マイクロセル、ピコセル、フェムトセルなどといった第１のセル１０１を運用し得る。
【００４４】
さらに、第１のセル１０１内に無線デバイス１１０が位置している。別の言い方をすれば、無線デバイス１１０は、第１のセル１０１に関連付けられている。これは、無線デバイス１１０が第１のセル１０１へ接続されており、若しくは第１のセル１０１によりサービスされており、又は無線デバイス１１０が第１のセル１０１に滞在している、ということを意味し得る。
【００４５】
本明細書で使用されるところによれば、「無線デバイス」という用語は、ＵＥ、加入者ユニット、モバイルフォン、セルラーフォン、無線通信ケイパビリティを具備するＰＤＡ（Personal  Digital  Assistant）、スマートフォン、内部若しくは外部のモバイルブロードバンドモデムを具備するラップトップ若しくはパーソナルコンピュータ（ＰＣ）、無線通信ケイパビリティを伴うタブレットＰＣ、ポータブル電子無線通信デバイス、又は無線通信ケイパビリティを具備するセンサデバイスなどへの言及であってよい。センサは、風、温度、気圧及び湿度などのいかなる種類の気候センサであってもよい。さらなる例として、センサは、光センサ、電子スイッチ、マイクロフォン、ラウドスピーカ、及びカメラセンサであってもよい。時には、「ユーザ」又は「加入者」との用語が無線デバイスへ言及するために使用されることもある。
【００４６】
さらに、無線通信システム１００は、第２のセル１０２を含む。第２のセル１０２は、第１のネットワークノード１２０により運用されてもよく、又はここで第２のネットワークノードとして言及される別のネットワークノード１３０により運用されてもよい。よって、より概略的には、無線通信システムは、ネットワークノード１２０により運用されるか又は別のネットワークノード１３０により運用されるかに依存して第１のセル１０１又は第２のセル１０２であり得るセルを含む。ある例において、第１のセル１０１及び第２のセル１０２の双方がネットワークノード１２０により運用される。第１のネットワークノードは、典型的には、無線デバイスのサービングネットワークノードであり、第２のネットワークノードは、隣接ネットワークノードであってよく、無線デバイスは、隣接ネットワークノードから信号を受信し及び／又は情報を取得することができる。
【００４７】
第１のネットワークノードによりサービスされるＵＥにおける例示的な方法は、以下のステップのうちの１つ以上を含み得る：
・例えばＴ０などの予め定義される時間ピリオドといった、フレキシブルサブフレーム割り当てに適用可能なある時間ピリオドの期間中に、セルのＳＩを取得する。時間ピリオドＴ０の少なくとも一部の期間中に、ＵＥは、少なくとも１つのフレキシブルサブフレーム割り当て方式で構成され又は動作する。
・ＵＬフィードバック信号（例えば、ＡＣＫ／ＮＡＣＫ）の最小数（Ｎｍｉｎ）を取得する。ここで、Ｎｍｉｎの値は、予め定義される情報に基づいて決定されてもよく、又は第１のネットワークノードから受信される情報に基づいて決定されてもよい。ＵＥは、好適には、上記時間ピリオド（例えば、Ｔ０）の期間中の第１のネットワークノードによるＵＥへの例えばＰＤＳＣＨ上での少なくとも連続的なＤＬデータの送信への応答として、上記最小数ＮｍｉｎのＵＬフィードバック信号を送信すべきである。Ｎｍｉｎは、構成されるフレキシブルサブフレーム割り当てに関連付けられる。
・上記時間ピリオド（例えば、Ｔ０）の期間中の第１のネットワークノードによるＵＥへの少なくとも連続的なＤＬデータの送信への応答として、上記最小数（Ｎｍｉｎ）のＵＬフィードバック信号を送信する。
・例えば第１のネットワークノードへのシグナリングなど、１つ以上の無線動作のために、取得されたＳＩを使用する。
上記ＵＥへサービスする第１のネットワークノードにおける例示的な方法は、以下のステップのうちの１つ以上を含み得る：
・ＵＥを少なくとも１つのフレキシブルサブフレーム割り当て方式（例えば、ダイナミックＴＤＤ動作、フレキシブルＴＤＤ動作又はＨＤ−ＦＤＤ動作）で構成する。
・予め定義される時間ピリオド（例えば、Ｔ０）など、フレキシブルサブフレーム割り当て方式に適用可能なある時間ピリオドの期間中に少なくとも１つのセルのＳＩを取得するようにＵＥを構成する。
・上記時間ピリオド（例えば、Ｔ０）の期間中の全てのＤＬサブフレームにおいて、ＵＥへ例えばＰＤＳＣＨ上でＤＬデータを送信する。
・上記時間ピリオド（例えば、Ｔ０）の期間中の連続的なＤＬデータの送信への応答としての、少なくとも最小数（Ｎｍｉｎ）のＵＬフィードバック信号を受信する。Ｎｍｉｎは、構成されたフレキシブルサブフレーム割り当て方式に関連付けられる。
【００４８】
ダイナミックＴＤＤサブフレーム割り当て（例えば、ダイナミックＴＤＤシステム、又はＨＤ−ＦＤＤ動作）において、一群のサブフレームは固定的なサブフレームであり、一方でその他はフレキシブルサブフレームである。固定的なサブフレームとは、全ての無線フレームにおいてＵＬサブフレームであるか、又は全ての無線フレームにおいてＤＬサブフレームであるか、のいずれかである。フレキシブルサブフレームは、ある無線フレームにおいてはＵＬサブフレームであり、他の無線フレームにおいてはＤＬサブフレームであることができる。ＵＬ方向又はＤＬ方向の割り当ては、動的なやり方でなされる。サービングセルの性能は、ＵＥがそのサービングセルにおいて送受信を行うことのできるサブフレーム数の観点で表現され得る。ＵＥは、あるセルのＳＩを取得するために自律的ギャップを生成するかもしれない。しかしながら、ＵＥが自律的ギャップを生成する場合、ダイナミックＵＬ／ＤＬサブフレーム割り当ては、サービングセルの性能の性能をなお一層予測不能にする。ここでの少なくともいくつかの実施形態により、この問題が解決される。よって、ここでの実施形態は、システム性能を改善させる。
【００４９】
図２は、図１ｂの無線通信システム１００との関連において実行される場合の、ここでの実施形態に係る例示的な方法を描いている。
【００５０】
１つ以上の次のアクション又はステップは、いかなる適した順序で実行されてもよい。
【００５１】
［アクション２０１］
第１のネットワークノード１２０は、少なくとも１つのフレキシブルサブフレームでＵＥを構成し得る。少なくとも１つのフレキシブルサブフレームは、背景技術欄で説明したような、例えば時間ピリオドＴ０の期間中など、ある時間ピリオドの期間中に適用可能であり得るフレキシブルサブフレーム構成方式に含まれ得る。当該時間ピリオドは、背景技術欄で言及したようなＤＣＩにより付与されてもよい。アクション２０１は、図４ｂにおける構成モジュール１０２０により実行され得る。
【００５２】
［アクション２０２］
第１のネットワークノード１２０は、既知のやり方に従ってＳＩを取得するように、無線デバイスを構成し、又は無線デバイスに命令／指示し得る。このアクションへの応答として、無線デバイスは自律的ギャップを生成し得るが、それによって、無線デバイスは、アクション２０８において送信されるＤＬデータ（又は、あてはまる場合にはＵＬデータ）のいくつかを逸失し得る。但し、ＵＥは、ＤＬにおいてスケジューリングされるのみである場合にはＤＬデータを逸失することになり、ＵＬにおいてスケジューリングされるのみである場合にはＵＬデータを逸失するであろう。しかしながら、セクション「フレキシブルサブフレーム動作下でのＳＩ取得の期間中のスケジューリングのネットワークノードにおける適応方法」において説明されるようにＤＬデータの逸失が回避されてもよい。アクション２０２は、図４ｂにおける構成モジュール１０２０により実行され得る。
【００５３】
［アクション２０３］
無線デバイス１１０は、例えば第２のセル及び／又は第１のセルについてＳＩを取得するものとされていることに関する情報を取得（例えば、受信）し得る。アクション２０３は、図３ｂにおける取得モジュール８２０により実行され得る。
【００５４】
［アクション２０４］
第１のネットワークノード１２０は、最少ＵＬフィードバックに関する情報でさらに無線デバイスを構成し得る。最少ＵＬフィードバックに関する情報は、どのサブフレームにおいて無線デバイスがＵＬフィードバック（例えば、ＡＣＫ／ＮＡＣＫといったＨＡＲＱフィードバック）を送信するものとされるのかを特定してもよい。最少ＵＬフィードバックに関する情報は、ＵＬフィードバック信号及び／又はそれに対応するサブフレームの最小数であってもよい。そのうえ、最少ＵＬフィードバックに関する情報は、例えばＵＬ／ＤＬコンフィグレーションなど、フレキシブルサブフレーム構成方式に関連付けられてもよい。本アクションは、図４ｂにおける構成モジュール１０２０により実行され得る。
【００５５】
このやり方で、無線デバイス及び第１のネットワークノードは、ＨＡＲＱタイミング、即ち無線デバイスからいつＵＬフィードバックが送信されるか、の共通の理解を獲得し得る。
【００５６】
［アクション２０５ａ及び／又は２０５ｂ］
第１のネットワークノード１２０が無線デバイスへＳＩを送信し、及び／又は、第２のネットワークノード１３０が無線デバイスへＳＩを送信する。
【００５７】
［アクション２０６］
無線デバイス１１０は、第１のネットワークノードからＳＩを受信する。代替的に、無線デバイス１１０は、第２のネットワークノード１３０からＳＩを受信してもよい（この代替は図２には示されていない）。
【００５８】
［アクション２０７］
無線デバイス１１０は、最少（ｍｉｎ）ＵＬフィードバックを取得する。最少ＵＬフィードバックは、アクション２０１でのように適用され又は構成された少なくとも１つのフレキシブルサブフレームに関連付けられてもよい。よって、最少ＵＬフィードバックは、ＵＬ／ＤＬコンフィグレーションといったフレキシブルサブフレーム構成方式に関連付けられてもよい。
【００５９】
いくつかの例において、最少ＵＬフィードバックは、アクション２０４でのように第１のネットワークノードにより構成されてもよい。最少ＵＬフィードバックは、例えば第１のネットワークノードから送信されてもよい。
【００６０】
いくつかの例において、最少ＵＬフィードバックは、セクション「ＵＥにおけるフレキシブルサブフレーム動作下でのＳＩ取得の期間中のサービングセル性能の適応方法」内の項番４において説明されるような多様なやり方に従って、無線デバイスにより判定されてもよい。アクション２０７は、図３ｂにおける判定モジュール８４０により実行され得る。
【００６１】
第１のネットワークノードは、無線デバイスがどのようにアクション２０７を実行するかを認識していてよい。その手法で、第１のネットワークノード及び無線デバイスは、無線デバイスからＵＬフィードバックがいつ及び／又はどのようにして送信されるべきかの共通的な理解を獲得する。
【００６２】
［アクション２０８］
第１のネットワークノード１２０は、無線デバイスへＤＬデータを送信する。
【００６３】
［アクション２０９］
無線デバイス１１０は、第１のネットワークノード１２０からＤＬデータを受信する（アクション２０８参照）。
【００６４】
［アクション２１０］
ＤＬデータの受信への応答として、無線デバイス１１０は、ＵＬフィードバックを送信する。
【００６５】
［アクション２１１］
第１のネットワークノード１２０は、無線デバイスからＵＬフィードバックを受信する（アクション２１０参照）。
【００６６】
［アクション２１２］
無線デバイス１１０は、例えばハンドオーバ前の準備として第２のセルについて測定を行う目的で、受信したＳＩを多様なやり方で使用し得る。
【００６７】
［アクション２１３］
ネットワークノード１２０は、例えば、アクション２１２における無線デバイスの測定に基づく測定レポートを受信してもよい。
【００６８】
「ＵＥにおけるフレキシブルサブフレーム動作下でのＳＩ取得の期間中のサービングセル性能の適応方法」
本実施形態は、第１のネットワークノードによりサービスされ又は運用される第１のセルにおいて動作するＵＥ内に実装される方法を説明する。ＵＥは、少なくとも第２のネットワークノードによりサービスされ又は運用される第２のセルのＳＩを取得する。また、ＵＥは、例えばダイナミックＴＤＤ動作若しくはフレキシブルＴＤＤ動作、又はＨＤＤ−ＦＤＤ動作などのフレキシブルサブフレーム割り当て方式で動作するように構成される。フレキシブルサブフレーム割り当て方式は、ＵＥのデータ送受信の相手である少なくとも１つの第１のセルにおいて使用される。第１のセルは、サービングセルであり、又はマルチキャリア動作のために複数のサービングセルと共に構成されるＵＥのサービングセルのうちの少なくとも１つである。サービングセルは、互換可能に、ＰＣｅｌｌ（プライマリセル）とも呼ばれ得る。マルチキャリア動作では、ＳＣｅｌｌ（セカンダリセル）もまたサービングセルである。フレキシブルサブフレーム割り当て方式は、例えばイントラ周波数上の及び／又は非サービングキャリア周波数上の１つ以上の隣接セルなど、他のセルにおいても使用されてよい。第１のセル及び第２のセルは、同じキャリア周波数上で（イントラ周波数セル）、同じＲＡＴの異なるキャリア周波数上で（インター周波数セル）、異なるＲＡＴの同じ周波数上で、又は異なるＲＡＴの異なるキャリア周波数上で動作してもよい。特殊ケースとして、第１のセル及び第２のセルは同一であることができ、例えばＵＥがサービングセルのＳＩを取得する場合にはそうである。ＵＥにおいて実行されるステップは、次のうちの１つ以上を含み得る：
【００６９】
１．少なくとも１つの第２のセルのＳＩが取得されるべきであるという情報を取得
ＳＩは、ＭＩＢ、ＳＩＢ１又は他のＳＩＢ（例えば、ＳＩＢ２、ＳＩＢ３）のうちの１つ以上を含んでよい。当該情報は、第１のネットワークノードから受信されるリクエストに基づいて取得されることができ、又は、ＵＥにより内部的に決定されることができる。リクエストが受信される一例は、“reportCGI”若しくは“report  CSG  indicator”又は“reporting  SI”のうちの１つ以上を含むＲＲＣメッセージであってよく、ここでＣＳＧとはクローズド加入者グループである。「ＳＩの取得又はＳＩを取得する」との用語は、「ＳＩ読み取り又はＳＩの読み取り」、「ＳＩを識別する又はＳＩの識別」、「ＳＩを判定する」などとも呼ばれてよい。本アクションは、アクション２０３と同様である。
【００７０】
２．取得した情報に基づいて、少なくとも１つの第２のセルのＳＩを取得するための自律的ギャップを生成
自律的ギャップは、予め定義される時間長（例えば、Ｔ０又は他の時間ピリオド）の間の使用のために生成される。予め定義される時間長又は時間ピリオドは、セルのＣＧＩを識別するために必要とされる時間、又はセルのＳＩを取得するために必要とされる時間として言及されてもよい。自律的ギャップの期間中に、ＵＥにサービスする動作は中断される。これは、そうしたギャップの期間中に、サービングセル内（即ち、第１のセル内）のＵＥが、ＵＬにおいていかなる信号も送信せず、ＤＬにおいていかなる信号も受信しないであろうことを示唆する。これは、そうしたギャップの期間中に、ＵＥがそのサービングセルによりＵＬ及びＤＬにおいてサービス可能でないことを意味する。本アクションは、アクション２０２への応答として実行され得る。従って、本アクションは、上のアクション２０３の一部であり得る。
【００７１】
３．ＵＥがＴ０の少なくとも一部の期間中に少なくとも１つのサービングセルにおいてフレキシブルサブフレーム割り当て方式で動作するように構成されると判定
本アクションは、上のアクション２０７の一部であってよい。方式の判定は、第１のネットワークノードから受信される構成に基づいて、及び／又はＵＥによりサポートされるフレキシブルサブフレーム割り当て方式に関連付けられるＵＥ無線アクセスケイパビリティに基づいて行われることができる。フレキシブルサブフレーム割り当て方式は、次のうちの１つを含み得る：
ａ．少なくとも部分的に上記時間ピリオド（例えば、Ｔ０）の期間中に適用される、フレキシブル又はダイナミックＴＤＤコンフィグレーション。フレキシブルＴＤＤコンフィグレーションは、次のうちの１つ以上に関与し得る：
ｉ．ＵＬサブフレーム、ＤＬサブフレーム及びスペシャルサブフレームのうちの任意の２つの間で少なくとも１回サブフレームが変化する；
ｉｉ．２つの異なる無線フレームの期間中に、少なくとも１種類のサブフレームのサブフレーム数及び／又は時間的割り当てが相違する；
ｉｉｉ．ＵＥによる使用のために第１のネットワークノードにより少なくとも２つの異なるＴＤＤ  ＵＬ／ＤＬコンフィグレーションが構成され又は指示される；
ｉｖ．少なくとも２つの異なるＴＤＤ  ＵＬ／ＤＬコンフィグレーションがＵＥにより使用される。
ｂ．少なくとも部分的に上記時間ピリオド（例えば、Ｔ０）の期間中に適用される、ＨＤ−ＦＤＤにおけるフレキシブルサブフレーム動作。ＨＤ−ＦＤＤにおける当該フレキシブルサブフレーム動作は、次のうちの１つ以上に関与し得る：
ｉ．ＵＬサブフレーム、ＤＬサブフレーム及び未使用サブフレームのうちの任意の２つの間で少なくとも１回サブフレームが変化する；
ｉｉ．２つの異なる無線フレームの期間中に、少なくとも１種類のサブフレームのサブフレーム数及び／又は時間的割り当てが相違する；
ｉｉｉ．ＵＥによる使用のために第１のネットワークノードにより少なくとも２つの異なるサブフレーム構成（ＨＤ−ＦＤＤコンフィグレーション又はＨＤ−ＦＤＤサブフレームコンフィグレーションとしても知られる）が構成され又は指示される；
ｉｖ．少なくとも２つの異なるサブフレーム構成がＵＥにより使用される。
【００７２】
４．ある時間ピリオド（例えば、Ｔ０）の期間中の第１のネットワークノードによるＵＥへのＤＬデータの連続的な送信（例えば、ＰＤＳＣＨ）への応答としてＵＥが好適に送信すべきＵＬフィードバック信号の最小数（Ｎｍｉｎ）の取得（又は判定）
最小数Ｎｍｉｎは、判定されるフレキシブルサブフレーム割り当て方式に関連付けられる。ここでのＤＬデータの連続的な送信は、ＳＩ取得の時間の間の、即ち、例えばＴ０にわたる全てのＤＬサブフレームにおいて第１のネットワークノードがデータを送信することを意味する。最小数Ｎｍｉｎは、追加的な条件又は制約の下で適用可能であってもよく、又は追加的な条件若しくは制約に関連付けられてもよい。それら追加的な条件又は制約は、Ｔ０の少なくとも一部の期間中に、ＵＥが測定ギャップで構成されないこと、ＵＥがＤＲＸサイクルで構成されないこと、ＵＥがＤＲＸで動作していないこと、ＵＥが１つのサブフレーム内で予め定義される数の符号語（例えば、サブフレームごとに１符号語）で第１のネットワークノードからのＤＬデータを受信するように構成されること、及び、ＭＢＳＦＮ（Multicast  Broadcast  Single  Frequency  Network）サブフレームがサービングセル又はＰＣｅｌｌ内で構成されないこと、のうちの１つ以上を含んでもよい。ＭＢＳＦＮサブフレームとして構成可能なサブフレームの例は、ＦＤＤについてはサブフレーム＃１、２、３、６、７及び８であり、ＴＤＤについてはサブフレーム＃３、４、７、８及び９である。本アクションは、上のアクション２０７と同様である。
ａ．予め定義される符号語の数の例は１符号語である。ＵＬフィードバック信号の例は：
ｉ．ＤＬチャネルの受信、例えば第１のネットワークノードからのＰＤＳＣＨの受信に対して確認応答するためのＨＡＲＱフィードバックの一部としての、ＵＥにより送信される任意のＵＬ信号；
ｉｉ．より具体的には、ＨＡＲＱフィードバックの一部としてＵＥにより送信される、上記数のＡＣＫ／ＮＡＣＫ。例えば、１つのＡＣＫ又はＮＡＣＫが単一の又は１つの符号語を伴うＤＬ送信に対応する。例えば、１つの符号語でのＤＬ送信を伴うサブフレームがフレームごとに１０個であれば、Ｎｍｉｎもまた１０個のＡＣＫ／ＮＡＣＫである。
ｂ．最小数Ｎｍｉｎは、次の手段のうちの任意の１つ以上により取得され得る：
ｃ．第１のネットワークノードから受信される情報（即ち、最小の数値Ｎｍｉｎ）；
ｄ．標準において仕様化される、予め定義される最小数Ｎｍｉｎ。このケースでは、Ｎｍｉｎは、ＵＥのメモリ内に記憶される。
ｅ．予め定義されるルール、数式又は関数がＮｍｉｎを導出するために使用される。そうしたルール及び関数の例は、少なくとも部分的に上記時間ピリオド（例えば、Ｔ０）の期間中にフレキシブルサブフレーム割り当てが使用される場合、次の通りである：
ｉ．ＵＥは、あるリファレンスの又は予め定義されるサブフレーム構成について使用されるＡＣＫ／ＮＡＣＫ数にＮｍｉｎが等しいと想定するものとする。ここで、サブフレーム構成は、フレームごとの、ＤＬサブフレーム、ＵＬサブフレーム、未使用サブフレーム及びスペシャルサブフレームの任意の組合せから構成される。例えば、Ｎｍｉｎは、フレームごとにＤＬサブフレームが２つのみであると想定されるＨＤ−ＦＤＤコンフィグレーション、フレームごとにＤＬサブフレームがある数（例えば、フレームごとに２つのＤＬ）であるＴＤＤコンフィグレーション、又はＴＤＤコンフィグレーション＃０（即ち、１８個のＡＣＫ／ＮＡＣＫ）、のうちのいずれかを用いる場合の、ＡＣＫ／ＮＡＣＫ数であってもよい。
ｉｉ．ＵＥは、全てのあり得る（即ち、予め定義される）サブフレーム構成（例えばＴＤＤコンフィグレーション＃０〜＃６）に対応するＡＣＫ／ＮＡＣＫのうちの最も小さいＡＣＫ／ＮＡＣＫ数にＮｍｉｎが等しいと想定するものとする。
ｉｉｉ．ＵＥは、全ての予め構成されるサブフレーム構成（例えばＴＤＤコンフィグレーション＃０、＃１及び＃４）に対応するＡＣＫ／ＮＡＣＫのうちの最も小さいＡＣＫ／ＮＡＣＫ数にＮｍｉｎが等しいと想定するものとする。
ｉｖ．ＵＥは、少なくとも２つのサブフレーム構成に対応する複数のＡＣＫ／ＮＡＣＫ数の関数に基づいて、最小の数値Ｎｍｉｎを導出するものとする。関数の例は、最小、最大、平均、及び第Ｘパーセンタイルである。例えば、ＴＤＤコンフィグレーション＃１及び＃６に対応するＡＣＫ／ＮＡＣＫ数がそれぞれ３５及び３０であるものと想定する。最小関数を適用することにより、ＵＥは、Ｎｍｉｎ＝３０個のＡＣＫ／ＮＡＣＫを導出するものとされ、これが第１のネットワークノードによる連続的なＤＬデータの割り当て／送信の下で上記時間ピリオド（例えば、Ｔ０）の期間中に送信しなければならない数である。
ｖ．ＵＥは、全ての予め定義されるサブフレーム構成に対応する複数のＡＣＫ／ＮＡＣＫ数の関数に基づいて、最小の数値Ｎｍｉｎを導出するものとする。
ｖｉ．ＵＥは、Ｔ０の期間中に当該ＵＥによる使用のために第１のネットワークノードにより少なくとも構成されたサブフレーム構成に対応する複数のＡＣＫ／ＮＡＣＫ数の関数に基づいて、最小の数値Ｎｍｉｎを導出するものとする。
ｖｉｉ．ＵＥは、Ｔ０の期間中に当該ＵＥにより少なくとも使用されるサブフレーム構成に対応する複数のＡＣＫ／ＮＡＣＫ数の関数に基づいて、最小の数値Ｎｍｉｎを導出するものとする。
ｖｉｉｉ．ＵＥは、フレキシブルサブフレーム構成の無いシナリオについて特定される最小数Ｎｍｉｎ＿ｒｅｆと、Ｎｍｉｎ＿ｒｅｆを基準とする劣化分との関数として最小数Ｎｍｉｎを導出するものとする。劣化分の例は、次の通りである：
・Ｎｍｉｎ＝Ｎｍｉｎ＿ｒｅｆ−Ｎ。ここで、Ｎは、フレキシブルサブフレーム構成の使用に起因して失われ得るＡＣＫ／ＮＡＣＫ数である；他の例では、Ｎは、ＤＬ又はＵＬサブフレームの数であるなど、フレキシブルである厳密なサブフレーム構成に依存してもよい。
・Ｎｍｉｎ＝Ｎｍｉｎ＿ｒｅｆ×ｒ０、Ｎｍｉｎ＝Ｎｍｉｎ＿ｒｅｆ×（１−ｒ１）、又は、Ｎｍｉｎ＝Ｎｍｉｎ＿ｒｅｆ×（１００％−ｒ２）／１００％。ここで、ｒ１（例えば、０．１）及びｒ２（例えば、２％）は相対劣化分であり、ｒ０（０＜ｒ０＜１）は劣化分を反映するパラメータである。
【００７３】
５．ステップ１における取得される情報に少なくとも基づいて、上記時間ピリオド（例えば、Ｔ０）の期間中に自律的ギャップを用いて少なくとも１つの第２のセルのＳＩを取得
本アクションは、アクション２０６と同様である。
【００７４】
６．第１のネットワークノードによる上記時間ピリオド（例えば、Ｔ０）の期間中のＵＥへのＤＬデータの連続的な送信への応答として、又は当該送信に対応して、最小数ＮｍｉｎのＵＬフィードバック信号を送信
本アクションは、アクション２１０と同様である。
【００７５】
７．取得されたＳＩ情報を１つ以上の無線動作のために使用
本アクションは、アクション２１２と同様である。無線動作の例は、次の通りである：
ａ．取得されたＳＩを第１のネットワークノードへ又は他のＵＥへシグナリング；
ｂ．取得されたＳＩを他のＵＥへ、双方のＵＥがデバイスツーデバイス（Ｄ２Ｄ）動作又は通信可能である場合にシグナリング；
ｃ．取得されたＳＩを将来の時点での使用のためにメモリ内に記憶。１つの例では、記憶されたデータは、ドライブテスト最小化（ＭＤＴ）又は自己組織化ネットワーク（ＳＯＮ）の一部としてネットワークノードへレポートされる；
ｄ．ＳＩ内の取得されたＣＧＩを、第２のセルの識別情報を検証し又は確認するために、第２のセルのＰＣＩと比較。
【００７６】
留意すべきこととして、上で説明したステップ１〜７は、必ずしもここで提示された順序では行われない。例えば、ＵＥがフレキシブルサブフレーム割り当て方式で動作するように構成されることを判定するステップ３は、ステップ１及び２よりも前に行われることができる。
【００７７】
「フレキシブルサブフレーム動作下でのＳＩ取得の期間中のＵＥによるサービングセル性能の適応のネットワークノードにおける支援方法」
本実施形態は、第１のセルを運用し及びＵＥにサービスする第１のネットワークノードに実装される方法を説明する。ＵＥは、少なくとも第２のネットワークノードによりサービスされる第２のセルのＳＩを取得する。第１のネットワークノードは、例えばダイナミックＴＤＤ動作若しくはフレキシブルＴＤＤ動作、又はＨＤＤ−ＦＤＤ動作などのフレキシブルサブフレーム割り当て方式で動作するようにＵＥを構成する。フレキシブルサブフレーム割り当て方式は、ＵＥのデータ送受信の相手である少なくとも１つの第１のセルにおいて使用される。第１のセルは、サービングセルであり、又はマルチキャリア動作のために複数のサービングセルと共に構成されるＵＥのサービングセルのうちの少なくとも１つである。サービングセルは、互換可能に、ＰＣｅｌｌとしても言及され得る。マルチキャリア動作では、ＳＣｅｌｌもまたサービングセルである。フレキシブルサブフレーム割り当て方式は、例えばイントラ周波数上の及び／又は非サービングキャリア周波数上の１つ以上の隣接セルなど、他のセルにおいても使用されてよい。第１のセル及び第２のセルは、同じキャリア周波数上で（イントラ周波数セル）、同じＲＡＴの異なるキャリア周波数上で（インター周波数セル）、異なるＲＡＴの同じ周波数上で、又は異なるＲＡＴの異なるキャリア周波数上で動作してもよい。特殊ケースとして、第１のセル及び第２のセルは同一であることができ、例えばＵＥがサービングセルのＳＩを取得する場合にはそうである。第１のネットワークノードにおいて実行されるステップは、次のうちの１つ以上を含み得る：
【００７８】
１．少なくとも１つのサービングセルにおいて少なくとも１つのフレキシブルサブフレーム割り当て方式で動作するようにＵＥを構成
当該方式は、セクション「ＵＥにおけるフレキシブルサブフレーム動作下でのＳＩ取得の期間中のサービングセル性能の適応方法」のステップ３にて説明したように、例えばダイナミックＴＤＤ動作若しくはフレキシブルＴＤＤ動作、又はＨＤＤ−ＦＤＤ動作などを含んでよい。
【００７９】
２．少なくとも１つの第２のセルのＣＧＩをレポートし又はＳＩを取得するようにＵＥへリクエストし又はＵＥを構成
本アクションは、アクション２０２と同様である。
【００８０】
３．ある時間ピリオド（例えば、Ｔ０）の期間中の第１のネットワークノードによるＵＥへの少なくともＤＬデータの連続的な送信（例えば、ＰＤＳＣＨ）への応答としてＵＥが好適に送信すべきＵＬフィードバック信号の最小数（Ｎｍｉｎ）でＵＥを構成（オプション）
最小数Ｎｍｉｎは、判定されるフレキシブルサブフレーム割り当て方式に関連付けられる。ＮｍｉｎでＵＥを構成するに先立って、第１のネットワークノードは、Ｎｍｉｎを判定してもよい。１つの例では、第１のネットワークノードは、上記時間ピリオド（例えば、Ｔ０）の期間中に第１のネットワークノードがＵＥへ送信しなければならないデータの量に対応するＮｍｉｎでＵＥを構成してもよい。これは、バッファ内の、ＵＥ向けのデータ量を観測することにより判定されることができる。他の例において、Ｎｍｉｎは、セクション「ＵＥにおけるフレキシブルサブフレーム動作下でのＳＩ取得の期間中のサービングセル性能の適応方法」のステップ４にて説明したように、予め定義されるルール、数式又は関数のうちの１つ以上に基づいて判定されることができる。本アクションは、アクション２０４と同様である。
【００８１】
４．時間Ｔ０の期間中にＵＥへ連続的なＤＬデータ（例えば、ＰＤＳＣＨ）を送信
連続的なＤＬデータ送信は、上記時間ピリオド（例えば、Ｔ０）の期間中の全てのＤＬサブフレームにおいてＤＬデータチャネルを送信すること、を含む。本アクションは、アクション２０８と同様である。
【００８２】
５．ＵＥへの少なくとも上記連続的なＤＬデータの送信への応答としてＵＥにより送信される少なくとも最小数ＮｍｉｎのＵＬフィードバック信号を受信
ＵＬ信号の最小数Ｎｍｉｎは、構成されるＵＬ信号の最小数、標準により仕様化される予め定義される最小数、及び、セクション「ＵＥにおけるフレキシブルサブフレーム動作下でのＳＩ取得の期間中のサービングセル性能の適応方法」のステップ４で説明したような予め定義されるルール、数式又は関数、のうちの１つに等しい。本アクションは、アクション２１１と同様である。
【００８３】
６．上記時間ピリオド（例えば、Ｔ０）の期間中に取得されたＳＩを少なくとも含む測定レポートをＵＥから受信
本アクションは、アクション２１３と同様である。
【００８４】
留意すべきこととして、上で説明したステップ群は、必ずしもここで提示された順序では行われない。
【００８５】
「フレキシブルサブフレーム動作下でのＳＩ取得の期間中のスケジューリングのネットワークノードにおける適応方法」
本実施形態は、セクション「フレキシブルサブフレーム動作下でのＳＩ取得の期間中のＵＥによるサービングセル性能の適応のネットワークノードにおける支援方法」において言及したものと同じシナリオについて第１のネットワークノードに実装されるまた別の方法を説明する。この方法において、ネットワークノードは、当該ネットワークノードが少なくとも第２のセルのＳＩを取得するようにＵＥを構成し又はＵＥを構成することを計画している少なくともＴ０の期間中の、自身によるＵＥへのデータのスケジューリングを適応させる。その際、ネットワークノードは以下を考慮に入れる：
・上記時間ピリオド（例えば、Ｔ０）の期間中の第１のネットワークノードによるＵＥへの少なくともＤＬデータの連続的な送信（例えば、ＰＤＳＣＨ）への応答としてＵＥが好適に送信すべきＵＬフィードバック信号の最小数（Ｎｍｉｎ）。最小数Ｎｍｉｎは、判定されるフレキシブルサブフレーム割り当て方式に関連付けられる。
・少なくともＴ０の一部の期間中に、ＵＥが少なくとも１つのフレキシブルサブフレーム割り当て方式で構成され及び／又は少なくとも１つのフレキシブルサブフレーム割り当て方式で動作していること。
【００８６】
スケジューリングの適応の例は、次の通りである：
・上記時間ピリオド（例えば、Ｔ０）の期間中にＵＥにより送信されるＵＬフィードバック信号の最小数（Ｎｍｉｎ）に相当し又は当該最小数を上回らない数のサブフレームでのデータの受信のためにＵＥをスケジューリングする。Ｎｍｉｎは、セクション「ＵＥにおけるフレキシブルサブフレーム動作下でのＳＩ取得の期間中のサービングセル性能の適応方法」のステップ４において、及びセクション「フレキシブルサブフレーム動作下でのＳＩ取得の期間中のＵＥによるサービングセル性能の適応のネットワークノードにおける支援方法」のステップ３及び４において説明したように決定されてよい。
・第１のネットワークノードが上記時間ピリオド（例えば、Ｔ０）の期間中にＵＥをスケジューリング可能なサブフレームの判定された数が閾値を下回る（例えば、１５サブフレームよりも少ない）場合、利用可能なサブフレームを増加させる目的でフレキシブルサブフレーム割り当て方式の１つ以上のパラメータを修正する。１つの例は、上記時間ピリオド（例えば、Ｔ０）の期間中に、無線フレームごとに少なくとも３つ以上のＤＬサブフレームを有するサブフレーム構成のみを使用し又はそれらサブフレーム構成のみでＵＥを構成することである。
【００８７】
１つの例示的な実施形態において、ネットワークノードは、ＵＬフィードバック信号の最小数を考慮に入れながら、無線デバイスをスケジューリングする。スケジューリング方式を適応させた後、第１のネットワークノードは、適応されたスケジューリング方式を用いてＵＥのＤＬデータでのスケジューリングを開始し得る。
【００８８】
［図５ａ及び図５ｂへの参照を伴う方法の実施形態の説明］
図５は、無線通信システム１００のネットワークノード１２０により運用される第１のセル１０１に位置する無線デバイス１１０において実行される方法の１つの実施形態を示すフローチャートである。１つの実施形態において、無線デバイス１１０は、ｅＮｏｄｅＢによりサービスされるＥ−ＵＴＲＡＮのセル１０１に位置するＵＥであってよい。よって、ネットワークノード１２０は、ｅＮｏｄｅＢであってよい。第１のセル１０１は、サービングセルであってよく、マルチキャリア動作におけるＰＣｅｌｌ又はマルチキャリア動作におけるＳＣｅｌｌであってもよい。本方法は、以下を含む：
−５１０：ある時間ピリオドの期間中に少なくとも１つの自律的ギャップを用いて第２のセルのシステム情報を取得する。ＳＩは、第２のセルを一意に識別する情報を含み得る。上記時間ピリオドは、Ｔ０として以前に言及されている。上記時間ピリオドの１つの例は、3GPP  TS36.331において仕様化されている時間ピリオドＴidentify_CGI,intraｍｓである。無線デバイスは、上記時間ピリオドの少なくとも一部の期間中に上記第１のセルにおいてフレキシブルサブフレーム割り当て方式で構成される。無線デバイスは、ネットワークノードから受信される構成情報に基づいて、フレキシブルサブフレーム割り当て方式で構成されてもよい。フレキシブルサブフレーム割り当て方式は、例えば、ダイナミックＴＤＤ又はＨＤ−ＦＤＤサブフレーム割り当て方式であってよい。本ステップは、上述したアクション２０６に対応し得る。
−５２０：アップリンクフィードバック信号の最小数に対応する値Ｎｍｉｎを取得する。１つの実施形態において、Ｎｍｉｎは、上で説明したように１８であってもよい。アップリンクフィードバック信号は、ＨＡＲＱフィードバックの一部としての確認応答及び否定応答信号（ＡＣＫ／ＮＡＣＫ）を含み得る。値Ｎｍｉｎは、フレキシブルサブフレーム割り当て方式に関連付けられる。値Ｎｍｉｎを取得することは、ネットワークノードからの値Ｎｍｉｎを含む情報を受信すること、を含んでもよい（後のステップ６２５参照）。代替的に、取得することは、無線デバイス内に記憶されている値Ｎｍｉｎを取り出すこと、又は、セクション「ＵＥにおけるフレキシブルサブフレーム動作下でのＳＩ取得の期間中のサービングセル性能の適応方法」内の項番４．ｅにおいて上述したように、予め定義されるルール、数式若しくは関数に基づいて値Ｎｍｉｎを導出すること、を含んでもよい。
−５３０：上記時間ピリオドの期間中のダウンリンクデータへの応答として、少なくとも最小数Ｎｍｉｎのアップリンクフィードバック信号を送信する。アップリンクフィードバック信号は、第１のセルにおいてネットワークノードから受信されるダウンリンクデータへの応答として、第１のセルにおいて送信されてもよい。上述したように、ダイナミックＴＤＤのケースにおいて、並びに、自律的ギャップを伴うＴＤＤ−ＴＤＤ及びＴＤＤ−ＦＤＤのインター周波数測定について、ＵＥは、Ｔidentify_CGI,intraｍｓの期間中に少なくとも１８個のＡＣＫ／ＮＡＣＫを送信できるものとされる。本ステップは、上述したアクション２０９及び２１０に対応し得る。
【００８９】
図５ｂは、無線デバイス１１０における方法の他の実施形態を示すフローチャートである。本方法は、以下を含む：
−５０５：ネットワークノードから、第２のセルのＳＩをレポートするためのリクエストを受信する。ＳＩは、第２のセルを一意に識別する情報を含み得る。本ステップは、上述したアクション２０４に対応し得る。
−５１０：上記リクエストへの応答として、ある時間ピリオドの期間中に少なくとも１つの自律的ギャップを用いて第２のセルのＳＩを取得する。無線デバイスは、上記時間ピリオドの少なくとも一部の期間中に上記第１のセルにおいてフレキシブルサブフレーム割り当て方式で構成される。フレキシブルサブフレーム割り当て方式は、例えば、ダイナミック又はフレキシブルＴＤＤサブフレーム割り当て方式であってよい。
−５２０：ＵＬフィードバック信号の最小数に対応する値Ｎｍｉｎを取得する。値Ｎｍｉｎは、フレキシブルサブフレーム割り当て方式に関連付けられる。
−５３０：上記時間ピリオドの期間中のダウンリンクデータへの応答として、少なくとも最小数ＮｍｉｎのＵＬフィードバック信号を送信する。上述したように、ダイナミックＴＤＤのケースにおいて、並びに、自律的ギャップを伴うＴＤＤ−ＴＤＤ及びＴＤＤ−ＦＤＤのインター周波数測定について、ＵＥは、Ｔidentify_CGI,intraｍｓの期間中に少なくとも１８個のＡＣＫ／ＮＡＣＫを送信できるものとされる。
−５４０：取得されたＳＩをネットワークノードへ送信する。本ステップは、上述したアクション２１２に対応し得る。
【００９０】
図６ａは、第１のセル１０１を運用する無線通信システム１００のネットワークノード１２０において実行される方法の１つの実施形態を示すフローチャートである。第１のセル１０１により無線デバイス１１０がサービスされる。第１のセル１０１は、サービングセルであってよく、マルチキャリア動作におけるＰＣｅｌｌ又はマルチキャリア動作におけるＳＣｅｌｌであってもよい。本方法は、以下を含む：
−６１０：無線デバイスが第２のセルのＳＩを取得する時間ピリオドの少なくとも一部の期間中に、第１のセル内でフレキシブルサブフレーム割り当て方式で動作するように無線デバイスを構成する構成情報を、無線デバイスへ送信する。ＳＩは、第２のセルを一意に識別する情報を含み得る。フレキシブルサブフレーム割り当て方式は、ダイナミック時間分割複信（ＴＤＤ）、又は半二重周波数分割複信（ＨＤ−ＦＤＤ）サブフレーム割り当て方式であり得る。本ステップは、上述したアクション２０１に対応し得る。
−６２０：フレキシブルサブフレーム割り当て方式に関連付けられる値Ｎｍｉｎを取得する。値Ｎｍｉｎは、上記時間ピリオドの期間中のダウンリンクデータへの応答として無線デバイスが送信するものとされるＵＬフィードバック信号の最小数に対応する。ＵＬフィードバック信号は、ＨＡＲＱフィードバックの一部としての、確認応答信号及び否定応答信号（ＡＣＫ／ＮＡＣＫ）を含み得る。値Ｎｍｉｎの取得は、無線デバイスについて上で説明したように、複数の代替的手法で行われてよい。取得は、ネットワークノード内に記憶されている値Ｎｍｉｎを取り出すこと、予め定義されるルール、数式又は関数（上述した通り）に基づいて値Ｎｍｉｎを決定すること、又は、ネットワークノードのバッファ内の、無線デバイスに関連付けられているデータの量に基づいて値Ｎｍｉｎを判定すること、を含んでよい。
−６３０：上記時間ピリオドの期間中に第１のセルにおいて無線デバイスへダウンリンクデータを送信する。本ステップは、上述したアクション２０８に対応し得る。
−６４０：送信されたダウンリンクデータへの応答として、第１のセルにおいて、少なくとも最小数ＮｍｉｎのＵＬフィードバック信号を受信する。本ステップは、上述したアクション２１１に対応し得る。
【００９１】
図６ｂは、ネットワークノード１２０における方法の他の実施形態を示すフローチャートである。本方法は、以下を含む：
−６０５：第２のセルのＳＩをレポートさせるためのリクエストを、無線デバイスへ送信する。ＳＩは、第２のセルを一意に識別する情報を含み得る。本ステップは、上述したアクション２０２に対応し得る。
−６１０：無線デバイスが第２のセルのＳＩを取得する時間ピリオドの少なくとも一部の期間中に、第１のセル内でフレキシブルサブフレーム割り当て方式で動作するように無線デバイスを構成する構成情報を、無線デバイスへ送信する。
−６２０：上記時間ピリオドの期間中のダウンリンクデータへの応答として無線デバイスが送信するものとされるＵＬフィードバック信号の最小数に対応する、フレキシブルサブフレーム割り当て方式に関連付けられる値Ｎｍｉｎを取得する。
−６２５：値Ｎｍｉｎを含む情報を無線デバイスへ送信する。
−６３０：上記時間ピリオドの期間中に第１のセルにおいて無線デバイスへダウンリンクデータを送信する。
−６４０：送信されたダウンリンクデータへの応答として、第１のセルにおいて、少なくとも最小数ＮｍｉｎのＵＬフィードバック信号を受信する。
−６５０：第２のセルのＳＩを、無線デバイスから受信する。
【００９２】
セクション「フレキシブルサブフレーム動作下でのＳＩ取得の期間中のスケジューリングのネットワークノードにおける適応方法」において説明したように、本方法は、上記時間ピリオドの期間中のダウンリンクデータへの応答として無線デバイスが送信するものとされるＵＬフィードバック信号の最小数に基づいて無線デバイスについてのスケジューリング方式を適応させること、及び適応させたスケジューリング方式を用いて無線デバイスをスケジューリングすることを、上述した実施形態のいずれにおいてもさらに含んでよい。他の実施形態において、本方法は、上記時間ピリオドの期間中に無線デバイスをダウンリンクデータと共にスケジューリング可能なサブフレームの最小数に基づいて、フレキシブルサブフレーム割り当て方式の１つ以上のパラメータを適応させること、を含んでもよい。その際、６１０において無線デバイスへ送信される構成情報が、適応されたフレキシブルサブフレーム割り当て方式で動作するように無線デバイスを構成し得る。
【００９３】
［図７ａ〜図７ｂへの参照を伴う装置の実施形態の説明］
図７ａのブロック図には、無線デバイス１１０の一実施形態が概略的に示されている。無線デバイス１１０は、無線通信システム１００のネットワークノード１２０により運用される第１のセル１０１内に位置する場合に、ある時間ピリオドの期間中に少なくとも１つの自律的ギャップを用いて第２のセルのＳＩを取得する、ように構成される。第１のセルは、サービングセル、マルチキャリア動作でのＰＣｅｌｌ、又はマルチキャリア動作でのＳＣｅｌｌであってよい。無線デバイスは、上記時間ピリオドの少なくとも一部の期間中に第１のセルにおいてフレキシブルサブフレーム割り当て方式で構成される。フレキシブルサブフレーム割り当て方式は、ダイナミックＴＤＤ又はＨＤ−ＦＤＤサブフレーム割り当て方式であってよい。無線デバイスは、ＵＬフィードバック信号の最小数に対応する値Ｎｍｉｎを取得する、ようにさらに構成される。値Ｎｍｉｎは、フレキシブルサブフレーム割り当て方式に関連付けられる。ＵＬフィードバック信号は、ＨＡＲＱフィードバックの一部としての、確認応答信号及び否定応答信号（ＡＣＫ／ＮＡＣＫ）を含み得る。無線デバイスは、上記時間ピリオドの期間中のダウンリンクデータへの応答として、少なくとも最小数ＮｍｉｎのＵＬフィードバック信号を送信する、ようにも構成される。
【００９４】
実施形態において、無線デバイス１１０は、ネットワークノードから、第２のセルのＳＩをレポートするためのリクエストを受信し、当該リクエストへの応答としてＳＩを取得する、ようにさらに構成され得る。無線デバイスは、第２のセルを一意に識別する情報を含むＳＩを取得する、ように構成されてもよい。無線デバイス１１０は、取得したＳＩをネットワークノードへ送信する、ようにさらに構成されてもよい。無線デバイスは、第１のセルにおいてネットワークノードから受信されるダウンリンクデータへの応答として、第１のセルにおいてＵＬフィードバック信号を送信する、ようにさらに構成されてもよい。無線デバイスは、値Ｎｍｉｎを含むネットワークノードからの情報を受信すること、無線デバイス内に記憶されている値Ｎｍｉｎを取り出すこと、及び予め定義されるルール、数式又は関数に基づいて値Ｎｍｉｎを導出すること、のうちの１つにより、上記値Ｎｍｉｎを取得する、ように構成されてもよい。実施形態において、無線デバイス１１０は、ネットワークノードから受信される構成情報に基づいて、フレキシブルサブフレーム割り当て方式で構成される。
【００９５】
本発明の実施形態において、無線デバイス１１０は、図７ａに示したように、処理モジュール７１０及びメモリ７０５を備え得る。無線デバイス１１０は、ネットワークノード１２０または通信システムの他のノードと通信するように構成される入出力（Ｉ／Ｏ）ユニット７０４をも備え得る。メモリ７０５は、処理モジュール７１０により実行可能な命令を収容してよく、それにより、無線デバイス１１０は、ある時間ピリオドの期間中に少なくとも１つの自律的ギャップを用いて第２のセルのＳＩを取得するように動作可能である。無線デバイスは、上記時間ピリオドの少なくとも一部の期間中に、第１のセルにおいてフレキシブルサブフレーム割り当て方式で構成される。無線デバイス１１０は、ＵＬフィードバック信号の最小数に対応する値Ｎｍｉｎを取得する、ようにさらに動作可能であってよい。値Ｎｍｉｎは、フレキシブルサブフレーム割り当て方式に関連付けられる。無線デバイス１１０は、上記時間ピリオドの期間中のダウンリンクデータへの応答として、少なくとも最小数ＮｍｉｎのＵＬフィードバック信号を送信する、ようにも動作可能であってよい。
【００９６】
図７ａにおける実施形態を説明する代替的手法において、無線デバイス１１０は、ある時間ピリオドの期間中に少なくとも１つの自律的ギャップを用いて第２のセルのＳＩを取得するように適合される取得モジュール７１１、を備え得る。無線デバイスは、上記時間ピリオドの少なくとも一部の期間中に第１のセルにおいてフレキシブルサブフレーム割り当て方式で構成される。無線デバイスは、ネットワークノードから受信される構成情報に基づいて、フレキシブルサブフレーム割り当て方式で構成されてもよい。フレキシブルサブフレーム割り当て方式は、ダイナミックＴＤＤ又はＨＤ−ＦＤＤサブフレーム割り当て方式であってよい。第１のセルは、サービングセル、マルチキャリア動作におけるＰＣｅｌｌ、又はマルチキャリア動作におけるＳＣｅｌｌのうちの１つであってよい。無線デバイスは、ＵＬフィードバック信号の最小数に対応する値Ｎｍｉｎを取得するように適合される取得モジュール７１２、をも備え得る。値Ｎｍｉｎは、フレキシブルサブフレーム割り当て方式に関連付けられる。アップリンクフィードバック信号は、ハイブリッド自動再送要求フィードバックの一部としての確認応答及び否定応答信号を含んでよい。無線デバイス１１０は、上記時間ピリオドの期間中のダウンリンクデータへの応答として、少なくとも最小数ＮｍｉｎのＵＬフィードバック信号を送信するように適合される送信モジュール７１３、をさらに備え得る。さらに、無線デバイス１１０は、ネットワークノードから、第２のセルのシステム情報をレポートするためのリクエストを受信するように適合される受信モジュール、を備えてよく、取得モジュール７１１は、当該リクエストへの応答として上記システム情報を取得する、ように適合される。送信モジュール７１３は、取得されたシステム情報をネットワークノードへ送信する、ようにも適合されてよい。システム情報は、第２のセルを一意に識別する情報を含んでもよい。送信モジュール７１３は、第１のセルにおいてネットワークノードから受信されるダウンリンクデータへの応答として、第１のセルにおいてアップリンクフィードバック信号を送信する、ようにさらに適合されてよい。取得モジュール７１２は、値Ｎｍｉｎを含むネットワークノードからの情報を受信すること、無線デバイス内に記憶されている値Ｎｍｉｎを取り出すこと、及び、予め定義されるルール、数式又は関数に基づいて値Ｎｍｉｎを導出すること、のうちの１つにより、上記値Ｎｍｉｎを取得する、ように適合されてよい。上述したモジュール群は、ハードウェア、ソフトウェア、ファームウェア又はそれらの任意の組み合わせで実装され得る機能ユニットである。１つの実施形態において、それらモジュールは、プロセッサ上で稼動するコンピュータプログラムとして実装される。
【００９７】
図７ａにおける実施形態を説明するまた別の代替的手法において、無線デバイス１１０は、単一のユニット又は複数のユニットであり得るＣＰＵ（Central  Processing  Unit）を備えてもよい。さらに、無線デバイス１１０は、不揮発性メモリ、例えばＥＥＰＲＯＭ（Electrically  Erasable  Programmable  Read-Only  Memory)、フラッシュメモリ又はディスクドライブという形式のコンピュータ読取可能な媒体７０３を伴う少なくとも１つのコンピュータプログラムプロダクト（ＣＰＰ）７０２を備えてもよい。ＣＰＰ７０２は、コンピュータ読取可能な媒体７０３に記憶されるコンピュータプログラム７０１を備えてもよく、コンピュータプログラム７０１は、無線デバイス１１０のＣＰＵ上で実行される場合に、無線デバイス１１０に図５ａ〜図５ｂに関連して前に説明した方法を実行させるコード手段を含む。言い換えると、上記コード手段は、ＣＰＵ上で実行され、図７ａにおける処理モジュール７１０に対応する。
【００９８】
図７ｂのブロック図には、ネットワークノード１２０の一実施形態が概略的に示されている。ネットワークノード１２０は、第１のセル１０１を運用するように構成される。第１のセル１０１により、無線デバイス１１０がサービスされる。第１のセルは、マルチキャリア動作でのＰＣｅｌｌ又はマルチキャリア動作でのＳＣｅｌｌであってもよい。ネットワークノード１２０は、無線デバイスが第２のセルのＳＩを取得する時間ピリオドの少なくとも一部の期間中に、第１のセル内でフレキシブルサブフレーム割り当て方式で動作するように無線デバイスを構成する構成情報を、無線デバイスへ送信する、ようにさらに構成される。ネットワークノード１２０は、フレキシブルサブフレーム割り当て方式に関連付けられる値Ｎｍｉｎを取得する、ようにも構成される。値Ｎｍｉｎは、上記時間ピリオドの期間中のダウンリンクデータへの応答として無線デバイスが送信するものとされるＵＬフィードバック信号の最小数に対応する。ネットワークノード１２０は、上記時間ピリオドの期間中に第１のセルにおいて無線デバイスへダウンリンクデータを送信し、送信されたダウンリンクデータへの応答として、第１のセルにおいて少なくとも最小数ＮｍｉｎのＵＬフィードバック信号を受信する、ようにさらに構成される。
【００９９】
ネットワークノード１２０は、第２のセルのＳＩをレポートさせるためのリクエストを無線デバイスへ送信する、ようにさらに構成され得る。ネットワークノード１２０は、無線デバイスから第２のセルのＳＩを受信する、ようにも構成され得る。ＳＩは、第２のセルを一意に識別する情報を含み得る。ネットワークノード１２０は、当該ネットワークノード内に記憶されている値Ｎｍｉｎを取り出し、予め定義されるルール、数式若しくは関数に基づいて値Ｎｍｉｎを判定し、又は、当該ネットワークノードのバッファ内の、上記無線デバイスに関連付けられているデータの量に基づいて値Ｎｍｉｎを判定する、ことにより上記値Ｎｍｉｎを取得する、ように構成され得る。ネットワークノード１２０は、値Ｎｍｉｎを含む情報を無線デバイスへ送信する、ようにさらに構成され得る。
【０１００】
実施形態において、ネットワークノード１２０は、上記時間ピリオドの期間中のダウンリンクデータへの応答として無線デバイスが送信するものとされるＵＬフィードバック信号の最小数に基づいて無線デバイスのためのスケジューリング方式を適応させ、適応されたスケジューリング方式を用いて、無線デバイスをスケジューリングする、ようにさらに構成され得る。ネットワークノード１２０は、上記時間ピリオドの期間中にダウンリンクデータと共に無線デバイスをスケジューリングすることの可能なサブフレームの最小数に基づいて、フレキシブルサブフレーム割り当て方式の１つ以上のパラメータを適応させ、適応されたフレキシブルサブフレーム割り当て方式で動作するように無線デバイスを構成する構成情報を無線デバイスへ送信する、ようにも構成され得る。
【０１０１】
本発明の実施形態において、ネットワークノード１２０は、図７ｂに示したように、処理モジュール７５０及びメモリ７９５を備え得る。ネットワークノード１２０は、無線デバイスまたは通信システムの他のノードと通信するように構成される入出力（Ｉ／Ｏ）ユニット７９４をも備え得る。メモリ７９５は、処理モジュール７５０により実行可能な命令を収容してよく、それにより、ネットワークノード１２０は、無線デバイスが第２のセルのシステム情報を取得する時間ピリオドの少なくとも一部の期間中に、第１のセル内でフレキシブルサブフレーム割り当て方式で動作するように無線デバイスを構成する構成情報を当該無線デバイスへ送信する、ように動作可能である。ネットワークノード１２０は、フレキシブルサブフレーム割り当て方式に関連付けられる値Ｎｍｉｎを取得する、ようにさらに動作可能であってよい。値Ｎｍｉｎは、上記時間ピリオドの期間中のダウンリンクデータへの応答として無線デバイスが送信するものとされるアップリンクフィードバック信号の最小数に対応する。ネットワークノード１２０は、上記時間ピリオドの期間中に第１のセルにおいて無線デバイスへダウンリンクデータを送信する、ようにも動作可能であってよい。ネットワークノード１２０は、送信されたダウンリンクデータへの応答として、第１のセルにおいて、少なくとも最小数Ｎｍｉｎのアップリンクフィードバック信号を受信する、ようにさらに動作可能であってよい。
【０１０２】
図７ｂにおける実施形態を説明する代替的手法において、ネットワークノード１２０は、無線デバイスが第２のセルのシステム情報を取得する時間ピリオドの少なくとも一部の期間中に第１のセル内でフレキシブルサブフレーム割り当て方式で動作するように無線デバイスを構成する構成情報を無線デバイスへ送信するように適合される第１の送信モジュール７５１、を備えてもよい。フレキシブルサブフレーム割り当て方式は、ダイナミックＴＤＤ又はＨＤ−ＦＤＤサブフレーム割り当て方式であってよい。第１のセルは、サービングセル、マルチキャリア動作におけるＰＣｅｌｌ、又はマルチキャリア動作におけるＳＣｅｌｌ、のうちの１つであってよい。ネットワークノード１２０は、フレキシブルサブフレーム割り当て方式に関連付けられる値Ｎｍｉｎを取得するように適合される取得モジュール７５２、をも備えてよい。値Ｎｍｉｎは、上記時間ピリオドの期間中のダウンリンクデータへの応答として無線デバイスが送信するものとされるアップリンクフィードバック信号の最小数に対応する。アップリンクフィードバック信号は、ハイブリッド自動再送要求フィードバックの一部としての確認応答信号及び否定応答信号を含んでよい。取得モジュール７５２は、ネットワークノード内に記憶されている値Ｎｍｉｎを取り出すこと、予め定義されるルール、数式若しくは関数に基づいて値Ｎｍｉｎを判定すること、又は、ネットワークノードのバッファ内の、上記無線デバイスに関連付けられているデータの量に基づいて値Ｎｍｉｎを判定すること、のうちの１つにより上記値Ｎｍｉｎを取得する、ように適合されてもよい。ネットワークノード１２０は、上記時間ピリオドの期間中に第１のセルにおいて無線デバイスへダウンリンクデータを送信するように適合される第２の送信モジュール７５３、をさらに備えてもよい。ネットワークノード１２０は、送信されたダウンリンクデータへの応答として、第１のセルにおいて少なくとも最小数Ｎｍｉｎのアップリンクフィードバック信号を受信するように適合される受信モジュール７５４、をさらに備えてもよい。上述したモジュール群は、ハードウェア、ソフトウェア、ファームウェア又はそれらの任意の組み合わせで実装され得る機能ユニットである。１つの実施形態において、それらモジュールは、プロセッサ上で稼動するコンピュータプログラムとして実装される。ネットワークノード１２０の送信モジュール７５１及び７５３は、第２のセルのシステム情報をレポートさせるためのリクエストを無線デバイスへ送信するようにさらに適合されてもよい。受信モジュール７５４は、無線デバイスから第２のセルのシステム情報を受信するようにさらに適合されてもよい。システム情報は、第２のセルを一意に識別する情報を含んでよい。送信モジュール７５１及び７５３は、値Ｎｍｉｎを含む情報を無線デバイスへ送信するようにさらに適合されてもよい。ネットワークノード１２０は、上記時間ピリオドの期間中のダウンリンクデータへの応答として無線デバイスが送信するものとされるアップリンクフィードバック信号の最小数に基づいて無線デバイスのためのスケジューリング方式を適応させるための適応モジュールと、適応されたスケジューリング方式を用いて無線デバイスをスケジューリングするためのスケジューリングモジュールと、をさらに備えてもよい。ネットワークノードは、上記時間ピリオドの期間中にダウンリンクデータと共に無線デバイスをスケジューリングすることの可能なサブフレームの最小数に基づいて、フレキシブルサブフレーム割り当て方式の１つ以上のパラメータを適応させるためのさらなるモジュールをも備えてよく、送信モジュール７５１及び７５３は、適応されたフレキシブルサブフレーム割り当て方式で動作するように無線デバイスを構成する構成情報を無線デバイスへ送信するように適合されてもよい。
【０１０３】
図７ｂにおける実施形態を説明するまた別の代替的手法において、ネットワークノード１２０は、単一のユニット又は複数のユニットであり得るＣＰＵ（Central  Processing  Unit）を備えてもよい。さらに、ネットワークノード１２０は、不揮発性メモリ、例えばＥＥＰＲＯＭ（Electrically  Erasable  Programmable  Read-Only  Memory)、フラッシュメモリ又はディスクドライブという形式のコンピュータ読取可能な媒体７９３を伴う少なくとも１つのコンピュータプログラムプロダクト（ＣＰＰ）７９２を備えてもよい。ＣＰＰ７９２は、コンピュータ読取可能な媒体７９３に記憶されるコンピュータプログラム７９１を備えてもよく、コンピュータプログラム７９１は、ネットワークノード１２０のＣＰＵ上で実行される場合に、ネットワークノード１２０に図６ａ〜図６ｂに関連して前に説明した方法を実行させるコード手段を含む。言い換えると、上記コード手段は、ＣＰＵ上で実行され、図７ｂにおける処理モジュール７５０に対応する。
【０１０４】
［図３ａ、図３ｂ、図４ａ及び図４ｂへの参照を伴う方法及び装置の実施形態の説明］
図３ａには、無線デバイス１１０における方法の一例としての概略的なフローチャートが示されている。図３ａは、図２における無線デバイス１１０により実行されるアクションを記述している（それらアクションの説明については上を参照）。フローチャートのアクションは、任意の適した順序で実行されてよい。
【０１０５】
図３ｂを参照すると、無線デバイス１１０の概略ブロック図が示されている。無線デバイス１１０は、図２及び図３ａにおける方法を実行するように構成される。ここでのいくつかの実施形態によれば、無線デバイス１１０は、処理モジュール８１０を備え得る。さらなる実施形態において、処理モジュール８１０は、取得モジュール８２０、受信モジュール８３０、判定モジュール８４０、及び送信モジュール８５０のうちの１つ以上を備え得る。無線デバイス１１０は、ＤＬデータ、ＳＩ、ここで説明した構成、メッセージ、値、並びにここで説明した標識などを送信し及び／又は受信するように構成される入出力（Ｉ／Ｏ）ユニット８０４、をさらに備え得る。Ｉ／Ｏユニット８０４は、受信モジュール８３０、送信モジュール８５０、送信機及び／又は受信機を備え得る。さらに、無線デバイス１１０は、処理モジュールが少なくとも１つのプロセッサなどを含むものとして実装される場合には、例えば処理モジュールにより実行されるべきソフトウェアを記憶するためのメモリ８０５を備えてもよい。
【０１０６】
図３ｂは、コンピュータ読取可能なコードユニットを含むコンピュータプログラム８０１の形式のソフトウェアをも示しており、コンピュータ読取可能なコードユニットは、無線デバイス１１０上で実行される場合に、無線デバイス１１０に図２及び／又は図７に係る方法を実行させる。結局、図３ｂは、コンピュータプログラムプロダクト８０２を示しており、コンピュータプログラムプロダクト８０２は、コンピュータ読取可能な媒体８０３と、直接的に上述したような、コンピュータ読取可能な媒体８０３に記憶されるコンピュータプログラム８０１とを含む。
【０１０７】
図４ａには、ネットワークノード１２０における方法の一例としての概略的なフローチャートが示されている。図４ａは、図２における第１のネットワークノード１２０により実行されるアクションを記述している（それらアクションの説明については上を参照）。フローチャートのアクションは、任意の適した順序で実行されてよい。
【０１０８】
図４ｂを参照すると、ネットワークノード１２０の概略ブロック図が示されている。ネットワークノード１２０は、図２及び図４ａにおける方法を実行するように構成される。
【０１０９】
ここでのいくつかの実施形態によれば、第１のネットワークノード１２０は、処理モジュール１０１０を備え得る。さらなる実施形態において、処理モジュール１０１０は、構成モジュール１０２０、送信モジュール１０３０、受信モジュール１０４０のうちの１つ以上を備え得る。
【０１１０】
第１のネットワークノード１２０は、ＤＬデータ、ＳＩ、ここで説明した構成、メッセージ、値、並びにここで説明した標識などを送信し及び／又は受信するように構成される入出力（Ｉ／Ｏ）ユニット１００４、をさらに備え得る。Ｉ／Ｏユニット１００４は、受信モジュール１０４０、送信モジュール１０３０、送信機及び／又は受信機を備え得る。
【０１１１】
さらに、ネットワークノード１２０は、処理モジュールが少なくとも１つのプロセッサなどを含むものとして実装される場合には、例えば処理モジュールにより実行されるべきソフトウェアを記憶するためのメモリ１００５を備えてもよい。
【０１１２】
図４ｂは、コンピュータ読取可能なコードユニットを含むコンピュータプログラム１００１の形式のソフトウェアをも示しており、コンピュータ読取可能なコードユニットは、第１のネットワークノード１２０上で実行される場合に、第１のネットワークノード１２０に図２及び／又は図９に係る方法を実行させる。
【０１１３】
結局、図４ｂは、コンピュータプログラムプロダクト１００２を示しており、コンピュータプログラムプロダクト１００２は、コンピュータ読取可能な媒体１００３と、直接的に上述したような、コンピュータ読取可能な媒体１００３に記憶されるコンピュータプログラム１００１とを含む。
【０１１４】
［ＵＥにより実行される方法の非限定的な例の一覧］
１．第１のセルを運用する第１のネットワークノードによりサービスされるＵＥにおける、第２のネットワークノードにより運用される第２のセルのＳＩを取得するための方法であって、
・ある時間ピリオド（Ｔ０）の期間中に第２のセルのＳＩを取得するための自律的ギャップを生成することと、
・上記時間ピリオド（例えば、Ｔ０）の期間中の第１のネットワークノードによる上記ＵＥへのＤＬデータの連続的な送信への応答として上記ＵＥが送信することを要するＵＬフィードバック信号の最小数を判定することと、
・送信されるべき上記ＵＬフィードバック信号の上記最小数は、ダイナミック又はフレキシブルサブフレーム割り当て方式に関連付けられることと、
・当該方式によれば上記時間ピリオド（例えば、Ｔ０）の期間中に少なくとも１つのサブフレーム番号がＵＬサブフレーム、ＤＬサブフレーム及びスペシャルサブフレームのうちの少なくとも任意の２つの間で変化し得ることと、
・上記時間ピリオド（例えば、Ｔ０）の期間中のＤＬデータの上記連続的な送信への応答として、判定された上記最小数のＵＬフィードバック信号を送信することと、
を含む方法。
【０１１５】
２．上記第２のセルは、上記第１のセルの隣接セルであり、又は、上記第２のセルは、上記第１のセルと同一である、例１に記載の方法。
【０１１６】
３．上記ＳＩは、ＭＩＢ、ＳＩＢ１及びＣＧＩのうちの少なくとも１つから構成される、例１〜２のいずれかに記載の方法。
【０１１７】
４．上記ＵＬフィードバック信号は、ＤＬデータチャネルの受信への応答として送信される、ＡＣＫ及びＮＡＣＫである、例１〜３のいずれかに記載の方法。
【０１１８】
５．ＤＬデータチャネルは、ＰＤＳＣＨである、例１〜４のいずれかに記載の方法。
【０１１９】
６．上記ダイナミック又はフレキシブルサブフレーム割り当て方式は、
・ＵＬサブフレーム及びＤＬサブフレームが時間的には重複せず但し異なるキャリア周波数上で送信され、かつ上記少なくとも１つのサブフレームが上記時間ピリオド（例えば、Ｔ０）の期間中にＵＬサブフレーム、ＤＬサブフレーム及び未使用サブフレームのうちの少なくとも任意の２つの間で変化する、ＨＤ−ＦＤＤ動作、
・少なくとも１つのサブフレームが上記時間ピリオド（例えば、Ｔ０）の期間中にＵＬサブフレーム、ＤＬサブフレーム及びスペシャルサブフレームのうちの少なくとも任意の２つの間で変化する、ダイナミックＴＤＤ、
のうちのいずれかをさらに含む、例１〜５のいずれかに記載の方法。
【０１２０】
７．上記ダイナミックＴＤＤは、上記時間ピリオド（例えば、Ｔ０）の期間中に少なくとも２つの異なるＵＬ−ＤＬ  ＴＤＤコンフィグレーションを用いることによる動作を含む、例１〜６のいずれかに記載の方法。
【０１２１】
８．上記第２のセルの上記ＳＩを取得するためのリクエストを、上記第１のネットワークノードから受信する、例１〜７のいずれかに記載の方法。
【０１２２】
９．Ｔ０の少なくとも一部の期間中の上記ＵＥの構成は、さらに、
・ＵＥが、測定ギャップと共に構成されないこと；
・ＵＥが、ＤＲＸサイクルで構成されず、ＤＲＸで動作していないこと；
・ＵＥが、１つのサブフレーム内で予め定義される数の符号語で第１のネットワークノードからのＤＬデータを受信するように構成されること；
・ＭＢＳＦＮサブフレームがサービングセル（又はＰＣｅｌｌ）内で構成されないこと；
のうちの１つ以上からなる、例１〜８のいずれかに記載の方法。
【０１２３】
１０．上記自律的ギャップを用いて、上記時間ピリオド（例えば、Ｔ０）の期間中に上記第２のセルの上記ＳＩを取得する、例１〜９のいずれかに記載の方法。
【０１２４】
１１．上記第２のセルの取得された上記ＳＩを、
・上記第１のネットワークノード又は他のＵＥへ、取得された上記ＳＩをシグナリングし、
・取得された上記ＳＩを将来の時点での使用のためにメモリ内に記憶し、及び
・上記第２のセルの識別情報を検証するために、上記ＳＩ内のＣＧＩをＰＣＩと比較する、
ために使用する、例１〜１０のいずれかに記載の方法。
【０１２５】
１２．送信されることを要するＵＬフィードバック信号の上記最小数を、
・上記第１のネットワークノードからの標識の受信、
・予め定義される情報、
のうちの１つに基づいて判定する、例１〜１１のいずれかに記載の方法。
【０１２６】
１３．予め定義される情報は、
・送信されることを要するＵＬ信号の予め定義される数、
・予め定義されるルール
・予め定義される数式又は関数、
のうちの１つを含む、例１１に記載の方法。
【０１２７】
［実装例］
Ａ．第１の例
TS36.133  Rel-12  version12.2.0のセクション8.1.2.2.4“E-UTRAN  TDD  intra  frequency  measurements  with  autonomous  gaps”によれば、ＵＥは、以下に説明する通りのルールのセットに準拠し又は従わなければならない。
【０１２８】
自律的ギャップを伴うＥ−ＵＴＲＡセルの新たなＣＧＩの識別
Ｅ−ＵＴＲＡセルの新たなＣＧＩを識別するために、ＵＥには明示的な隣接リストは提供されない。ＵＥは、“reportCGI”の目的でネットワークによりリクエストされた場合にＣＧＩを識別し及びレポートするものとされる。ＵＥは、TS36.331の節5.5.3.1に従って、ＭＩＢ及びＳＩＢ１メッセージを受信するために、ダウンリンク受信及びＵＬ送信において自律的ギャップを生成し得る。なお、ＵＥは、si-RequestForHOが偽（false）に設定されている場合には自律的ギャップを用いることを要しない。“reportCGI”の目的で自律的ギャップが測定のために使用される場合、ＵＥは、次の時間内にＥ−ＵＴＲＡセルの新たなＣＧＩを識別することができるものとされる：
Ｔidentify_CGI,intra＝Ｔbasic_identify_CGI,intraｍｓ
ここで、Ｔbasic_identify_CGI,intra＝１５０ｍｓである。これが、Ｅ−ＵＴＲＡセルが既にＵＥにより識別されている場合の、当該Ｅ−ＵＴＲＡセルの新たなＣＧＩをＵＥが識別するための最大許容時間を定義する上記等式において使用される時間ピリオドである。以下の条件が充足される場合には、あるセルは識別可能であるとみなされる。
・対応する帯域についてＲＳＲＰ関連の副次的条件が充足される
・対応する帯域についてＳＣＨ＿ＲＰ及びＳＣＨ  Ｅ＾ｓ／Ｉｏｔ（Ｅ＾は、便宜上アルファベットＥの上に記号＾があるものとする）
ＣＧＩが識別されたＥ−ＵＴＲＡセルのＭＩＢは、あるＰＢＣＨ復調要件（例えば、あるＳＮＲレベル）が満たされることを条件として、ＵＥにより復号可能であるものとみなされる。Ｔbasic_identify_CGI,intra内にＥ−ＵＴＲＡセルの新たなＣＧＩを識別するための要件は、ＤＲＸが使用されないと共に、TS36.331において仕様化されている全てのＤＲＸサイクルが使用される場合に、適用可能である。ＵＥがＥ−ＵＴＲＡセルの新たなＣＧＩを識別するＴidentify_CGI,intraｍｓのその時間内に、ＵＥは、以下を条件として、少なくとも表２（背景技術欄の表２と同一）に記述された数のＡＣＫ／ＮＡＣＫを送信することができるものとされる：
−連続的なＤＬデータの割り当てがある
−ＤＲＸサイクルが使用されない
−測定ギャップが構成されない
−各サブフレームにおいて１つの符号語のみが送信される
【０１２９】
【表３】
2017510147.tif 000005
【０１３０】
ＥＣＧＩレポート遅延
ＥＣＧＩレポート遅延は、ＵＬ  ＤＣＣＨのＴＴＩにＥＣＧＩ測定レポートを挿入する場合の遅延の不確実性に起因して生じる。遅延の不確実性は、ＵＬ  ＤＣＣＨのＴＴＩの２倍である。ＤＲＸが使用されるケースでは、ＥＣＧＩレポートは、次のＤＲＸサイクルにまで遅延させられ得る。ＩＤＣ自律的拒否（IDC  autonomous  denial）が構成される場合、追加的な遅延が予期され得る。
【０１３１】
発明の実施形態に係るこの第１の例についてのＵＥの要件
しかしながら、本発明の実施形態によれば、ＵＥがＥ−ＵＴＲＡセルの新たなＣＧＩを識別するＴidentify_CGI,intraｍｓのその時間内にＵＥのＰＣｅｌｌにおいて少なくとも１つのフレキシブルサブフレームが使用される場合、ＵＥは、以下を条件として少なくとも１８個のＡＣＫ／ＮＡＣＫを送信することができるものとされる：
−連続的なＤＬデータの割り当てがある
−ＤＲＸサイクルが使用されない
−測定ギャップが構成されない
−各サブフレームにおいて１つの符号語のみが送信される
−ＰＣｅｌｌにおいてＭＢＳＦＮサブフレームが構成されない
【０１３２】
Ｂ．第２の例
TS36.133  Rel-12  version12.2.0のセクション8.1.2.3.6“E-UTRAN  TDD-FDD  inter  frequency  measurements  using  autonomous  gaps”によれば、ＵＥは、以下に説明する通りのルールのセットに準拠し又は従わなければならない。この節における要件は、ＦＤＤ及びＴＤＤをサポートするＵＥに適用される。
【０１３３】
自律的ギャップを伴うＥ−ＵＴＲＡ  ＦＤＤセルの新たなＣＧＩの識別
Ｅ−ＵＴＲＡセルの新たなＣＧＩを識別するために、ＵＥには明示的な隣接リストは提供されない。ＵＥは、“reportCGI”の目的でネットワークによりリクエストされた場合にＣＧＩを識別し及びレポートするものとされる。ＵＥは、TS36.331の節5.5.3.1に従って、ＭＩＢ及びＳＩＢ１メッセージを受信するために、ダウンリンク受信及びＵＬ送信の双方において自律的ギャップを生成し得る。なお、ＵＥは、si-RequestForHOが偽（false）に設定されている場合には自律的ギャップを用いることを要しない。“reportCGI”の目的で自律的ギャップが測定のために使用される場合、ＵＥは、ＤＲＸが使用されるか否かに関わらず、次の時間内にＥ−ＵＴＲＡセルの新たなＣＧＩを識別することができるものとされる：
Ｔidentify_CGI,inter＝Ｔbasic_identify_CGI,interｍｓ
ここで、Ｔbasic_identify_CGI,inter＝１５０ｍｓである。これが、Ｅ−ＵＴＲＡセルが既にＵＥにより識別されている場合の、当該Ｅ−ＵＴＲＡセルの新たなＣＧＩをＵＥが識別するための最大許容時間を定義する上記等式において使用される時間ピリオドである。以下の条件が充足される場合には、あるセルは識別可能であるとみなされる。
−対応する帯域についてＲＳＲＰ関連の副次的条件が充足される
−対応する帯域についてＳＣＨ＿ＲＰ｜ｄＢｍ及びＳＣＨ  Ｅ＾ｓ／Ｉｏｔ（Ｅ＾は、便宜上アルファベットＥの上に記号＾があるものとする）
ＣＧＩが識別されたＥ−ＵＴＲＡセルのＭＩＢは、あるＰＢＣＨ復調要件（例えば、あるＳＮＲレベル）が満たされることを条件として、ＵＥにより復号可能であるものとみなされる。Ｔbasic_identify_CGI,inter内にＥ−ＵＴＲＡセルの新たなＣＧＩを識別するための要件は、ＤＲＸが使用されないと共に、TS36.331において仕様化されている全てのＤＲＸサイクルが使用される場合に、適用可能である。連続的なＤＬデータ割り当てが用いられ、ＤＲＸが用いられず、測定ギャップが構成されず、かつTS36.331において仕様化されているＴＤＤコンフィグレーションが使用される場合、ＵＥは、Ｅ−ＵＴＲＡセルの新たなＣＧＩの識別の期間中に、３０個よりも多いＡＣＫ／ＮＡＣＫを送信するものとされる。
【０１３４】
ＥＣＧＩレポート遅延
ＥＣＧＩレポート遅延は、ＵＬ  ＤＣＣＨのＴＴＩにＥＣＧＩ測定レポートを挿入する場合の遅延の不確実性に起因して生じる。遅延の不確実性は、ＵＬ  ＤＣＣＨのＴＴＩの２倍である。ＤＲＸが使用されるケースでは、ＥＣＧＩレポートは、次のＤＲＸサイクルにまで遅延させられ得る。ＩＤＣ自律的拒否が構成される場合、追加的な遅延が予期され得る。
【０１３５】
発明の実施形態に係るこの第２の例についてのＵＥの要件
しかしながら、本発明の実施形態によれば、ＵＥがＥ−ＵＴＲＡセルの新たなＣＧＩを識別するＴidentify_CGI,interｍｓのその時間内にＵＥのＰＣｅｌｌにおいて少なくとも１つのフレキシブルサブフレームが使用される場合、ＵＥは、以下を条件として少なくとも１８個のＡＣＫ／ＮＡＣＫを送信することができるものとされる：
−連続的なＤＬデータの割り当てがある
−ＤＲＸサイクルが使用されない
−測定ギャップが構成されない
−各サブフレームにおいて１つの符号語のみが送信される
−ＰＣｅｌｌにおいてＭＢＳＦＮサブフレームが構成されない
【０１３６】
Ｃ．第３の例
TS36.133  Rel-12  version12.2.0のセクション8.1.2.3.7“E-UTRAN  TDD-TDD  inter  frequency  measurements  with  autonomous  gaps”によれば、ＵＥは、以下に説明する通りのルールのセットに準拠し又は従わなければならない。
【０１３７】
自律的ギャップを伴うＥ−ＵＴＲＡ  ＴＤＤセルの新たなＣＧＩの識別
Ｅ−ＵＴＲＡセルの新たなＣＧＩを識別するために、ＵＥには明示的な隣接リストは提供されない。ＵＥは、“reportCGI”の目的でネットワークによりリクエストされた場合にＣＧＩを識別し及びレポートするものとされる。ＵＥは、TS36.331の節5.5.3.1に従って、ＭＩＢ及びＳＩＢ１メッセージを受信するために、ダウンリンク受信及びＵＬ送信の双方において自律的ギャップを生成し得る。なお、ＵＥは、si-RequestForHOが偽（false）に設定されている場合には自律的ギャップを用いることを要しない。“reportCGI”の目的で自律的ギャップが測定のために使用される場合、ＵＥは、ＤＲＸが使用されるか否かに関わらず、次の時間内にＥ−ＵＴＲＡセルの新たなＣＧＩを識別することができるものとされる：
Ｔidentify_CGI,inter＝Ｔbasic_identify_CGI,interｍｓ
ここで、Ｔbasic_identify_CGI,inter＝１５０ｍｓである。これが、Ｅ−ＵＴＲＡセルが既にＵＥにより識別されている場合の、当該Ｅ−ＵＴＲＡセルの新たなＣＧＩをＵＥが識別するための最大許容時間を定義する上記等式において使用される時間ピリオドである。以下の条件が充足される場合には、あるセルは識別可能であるとみなされる。
−対応する帯域についてＲＳＲＰ関連の副次的条件が充足される
−対応する帯域についてＳＣＨ＿ＲＰ及びＳＣＨ  Ｅ＾ｓ／Ｉｏｔ（Ｅ＾は、便宜上アルファベットＥの上に記号＾があるものとする）
ＣＧＩが識別されたＥ−ＵＴＲＡセルのＭＩＢは、あるＰＢＣＨ復調要件（例えば、あるＳＮＲレベル）が満たされることを条件として、ＵＥにより復号可能であるものとみなされる。Ｔbasic_identify_CGI,inter内にＥ−ＵＴＲＡセルの新たなＣＧＩを識別するための要件は、ＤＲＸが使用されないと共に、TS36.331において仕様化されている全てのＤＲＸサイクルが使用される場合に、適用可能である。連続的なＤＬデータ割り当てが用いられ、ＤＲＸが用いられず、測定ギャップが構成されず、かつTS36.331において仕様化されているＴＤＤコンフィグレーションが使用される場合、ＵＥは、Ｅ−ＵＴＲＡセルの新たなＣＧＩの識別の期間中に、３０個よりも多いＡＣＫ／ＮＡＣＫを送信するものとされる。
【０１３８】
ＥＣＧＩレポート遅延
ＥＣＧＩレポート遅延は、ＵＬ  ＤＣＣＨのＴＴＩにＥＣＧＩ測定レポートを挿入する場合の遅延の不確実性に起因して生じる。遅延の不確実性は、ＵＬ  ＤＣＣＨのＴＴＩの２倍である。ＤＲＸが使用されるケースでは、ＥＣＧＩレポートは、次のＤＲＸサイクルにまで遅延させられ得る。ＩＤＣ自律的拒否が構成される場合、追加的な遅延が予期され得る。
【０１３９】
発明の実施形態に係るこの第３の例についてのＵＥの要件
しかしながら、本発明の実施形態によれば、ＵＥがＥ−ＵＴＲＡセルの新たなＣＧＩを識別するＴidentify_CGI,interｍｓのその時間内にＵＥのＰＣｅｌｌにおいて少なくとも１つのフレキシブルサブフレームが使用される場合、ＵＥは、以下を条件として少なくとも１８個のＡＣＫ／ＮＡＣＫを送信することができるものとされる：
−連続的なＤＬデータの割り当てがある
−ＤＲＸサイクルが使用されない
−測定ギャップが構成されない
−各サブフレームにおいて１つの符号語のみが送信される
−ＰＣｅｌｌにおいてＭＢＳＦＮサブフレームが構成されない
【０１４０】
［用語］
本明細書で使用されるところによれば、「処理モジュール」との用語は、処理回路、処理ユニット、プロセッサ、ＡＳＩＣ（Application  Specific  integrated  Circuit）又はＦＰＧＡ（Field-Programmable  Gate  Array）などへの言及であってよい。一例として、プロセッサ、ＡＳＩＣ又はＦＰＧＡなどは、１つ以上のプロセッサカーネルを備え得る。いくつかの例において、処理モジュールは、ソフトウェアモジュール又はハードウェアモジュールにより具現化され得る。いかなるそうしたモジュールも、ここで開示されたような判定手段、推定手段、捕捉手段、関連付け手段、比較手段、識別手段、選択手段、受信手段又は送信手段などであり得る。一例として、「手段」との表現は、判定モジュール、選択モジュールなどのモジュールであってよい。
【０１４１】
本明細書で使用されるところによれば、「構成される」との表現は、ここで説明されているアクションのうちの１つ以上を実行するようにソフトウェア構成及び／又はハードウェア構成の手段によって処理回路が構成され又は適合されていることを意味し得る。
【０１４２】
本明細書で使用されるところによれば、「メモリ」との用語は、ハードディスク、磁気記憶媒体、ポータブルコンピュータディスケット若しくはディスク、フラッシュメモリ又はランダムアクセスメモリ（ＲＡＭ）などへの言及であり得る。さらに、「メモリ」との用語は、プロセッサの内部的なレジスタメモリなどへの言及であってもよい。
【０１４３】
本明細書で使用されるところによれば、「コンピュータ読取可能な媒体」との用語は、ＵＳＢ（Universal  Serial  Bus）メモリ、ＤＶＤディスク、Ｂｌｕ−ｒａｙディスク、データのストリームとして受け付けられるソフトウェアモジュール、フラッシュメモリ、ハードドライブ、MemoryStickなどのメモリカード、マルチメディアカード（ＭＭＣ）などであってよい。
【０１４４】
本明細書で使用されるところによれば、「コンピュータ読取可能なコードユニット」との用語は、コンピュータプログラムのテキスト、コンパイルされたフォーマットのコンピュータプログラムを表現するバイナリファイルの一部若しくは全体、又は、何らかのそれらの中間的なものであってよい。
【０１４５】
本明細書で使用されるところによれば、「数」、「値」との用語は、二値の数、実数、虚数又は有理数などといった、いかなる種類の数字であってもよい。そのうえ、「数」、「値」は、文字又は文字列といった、１つ以上のキャラクタであってもよい。「数」、「値」は、ビット列で表現されてもよい。
【０１４６】
本明細書で使用されるところによれば、「いくつかの実施形態において」との表現は、説明される当該実施形態の特徴がここで開示される何らかの他の実施形態と組み合わされてもよいことを示すために使用されている。
【０１４７】
多様な側面の実施形態が説明されているものの、それらの多くの異なる変形例及び修正例などが当業者にとっては明白となるであろう。説明されている実施形態は、従って、本開示の範囲を限定することを意図されない。
【０１４８】
ＢＣＨ          Broadcast  channel
ＢＳ            Base  Station
ＣＡ            Carrier  Aggregation
ＣＧＩ          Cell  global  identifier
ＣＰＩＣＨ      Common  Pilot  Channel
ＤＬ            Downlink
ＤＲＸ          Discontinuous  Reception
ＥＡＲＦＣＮ    Evolved  absolute  radio  frequency  channel  number
ＥＣＧＩ        E-UTRAN  CGI
Ｅ−ＣＩＤ      Enhanced  cell  ID
Ｅ−ＳＭＬＣ    Evolved  SMLC
Ｅ−ＵＴＲＡＮ  Evolved  Universal  Terrestrial  Radio  Access  Network
ＧＳＭ          Global  System  for  Mobile  Communications
ＨＡＲＱ        Hybrid  Automatic  Repeat  Request
Ｌ１            Layer  1
Ｌ２            Layer  2
ＬＭＵ          Location  measurement  unit
ＬＰＰ          LTE  positioning  protocol
ＬＰＰａ        LTE  positioning  protocol  annex
ＬＴＥ          Long  Term  Evolution
ＭＡＣ          Medium  Access  Control
ＭＢＳＦＮ      Multimedia  Broadcast  multicast  service  Single  Frequency  Network
ＭＩＢ          Master  Information  Block
ＭＭＥ          Mobility  management  entity
ＯＦＤＭ        Orthogonal  Frequency  Division  Modulation
ＯＦＤＭＡ      Orthogonal  Frequency  Division  Multiple  Access
Ｏ＆Ｍ          Operational  and  Maintenance
ＯＴＤＯＡ      Observed  time  difference  of  arrival
ＰＢＣＨ        Physical  Broadcast  Channel
ＰＣＩ          Physical  cell  identifier
ＰＤＳＣＨ      Physical  Downlink  Shared  Channel
ＲＡＴ          Radio  Access  Technology
ＲＮ            Relay  node
ＲＮＣ          Radio  Network  Controller
ＲＲＣ          Radio  Resource  Control
ＲＳＣＰ        Received  Signal  Code  Power
ＲＳＲＱ        Reference  signal  received  quality
ＲＳＲＰ        Reference  signal  received  power
ＲＳＴＤ        Reference  signal  time  difference
ＳＭＬＣ        Serving  Mobile  Location  Center
ＳＯＮ          Self  Organizing  Network
ＲＳＳＩ        Received  signal  strength  indicator
ＳＩＢ          System  information  block
ＳＩ            System  information
ＵＥ            User  Equipment
ＵＬ            Uplink
ＵＴＤＯＡ      UL  time  difference  of  arrival
Ｘ２            ＬＴＥでのＢＳ間通信のためのインタフェース
【図１ａ】
2017510147.tif 000006
【図１ｂ】
2017510147.tif 000007
【図２】
2017510147.tif 000008
【図３ａ】
2017510147.tif 000009
【図３ｂ】
2017510147.tif 000010
【図４ａ】
2017510147.tif 000011
【図４ｂ】
2017510147.tif 000012
【図５ａ】
2017510147.tif 000013
【図５ｂ】
2017510147.tif 000014
【図６ａ】
2017510147.tif 000015
【図６ｂ】
2017510147.tif 000016
【図７ａ】
2017510147.tif 000017
【図７ｂ】
2017510147.tif 000018
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
無線通信システム（１００）のネットワークノード（１２０）により運用される第１のセル（１０１）内に位置する無線デバイス（１１０）において実行される方法であって、
ある時間ピリオドの期間中に少なくとも１つの自律的ギャップを用いて第２のセルのシステム情報を取得すること（５１０）と、前記無線デバイスは、前記時間ピリオドの少なくとも一部の期間中に前記第１のセルにおいてフレキシブルサブフレーム割り当て方式で構成されることと、
前記フレキシブルサブフレーム割り当て方式に関連付けられる、アップリンクフィードバック信号の最小数に対応する値Ｎｍｉｎを取得すること（５２０）と、
前記時間ピリオドの期間中の連続的なダウンリンクデータへの応答として、少なくとも前記最小数Ｎｍｉｎのアップリンクフィードバック信号を送信すること（５３０）と、
を含む方法。
【請求項２】
前記ネットワークノードから、前記第２のセルの前記システム情報をレポートするためのリクエストを受信すること（５０５）と、前記システム情報は、前記リクエストへの応答として取得されること（５１０）と、
をさらに含む、請求項１に記載の方法。
【請求項３】
取得された前記システム情報を前記ネットワークノードへ送信すること（５４０）、
をさらに含む、請求項１又は請求項２に記載の方法。
【請求項４】
前記システム情報は、前記第２のセルを一意に識別する情報を含む、請求項１〜３のいずれかに記載の方法。
【請求項５】
前記アップリンクフィードバック信号は、前記第１のセルにおいて前記ネットワークノードから受信される連続的なダウンリンクデータへの応答として、前記第１のセルにおいて送信される、請求項１〜４のいずれかに記載の方法。
【請求項６】
前記値Ｎｍｉｎを取得すること（５２０）は、
前記値Ｎｍｉｎを含む前記ネットワークノードからの情報を受信することと、
前記無線デバイス内に記憶されている前記値Ｎｍｉｎを取り出すことと、
予め定義されるルール、数式又は関数に基づいて前記値Ｎｍｉｎを導出することと、
のうちの１つを含む、請求項１〜５のいずれかに記載の方法。
【請求項７】
前記無線デバイスは、前記ネットワークノードから受信される構成情報に基づいて、前記フレキシブルサブフレーム割り当て方式で構成される、請求項１〜６のいずれかに記載の方法。
【請求項８】
前記第１のセルは、サービングセル、マルチキャリア動作でのＰＣｅｌｌ、又はマルチキャリア動作でのＳＣｅｌｌ、のうちの１つである、請求項１〜７のいずれかに記載の方法。
【請求項９】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項１〜８のいずれかに記載の方法。
【請求項１０】
前記アップリンクフィードバック信号は、ハイブリッド自動再送要求フィードバックの一部としての、確認応答信号及び否定応答信号を含む、請求項１〜９のいずれかに記載の方法。
【請求項１１】
第１のセル（１０１）を運用する無線通信システム（１００）のネットワークノード（１２０）において実行される方法であって、前記第１のセル（１０１）により無線デバイス（１１０）がサービスされ、
前記無線デバイスが第２のセルのシステム情報を取得する時間ピリオドの少なくとも一部の期間中に、前記第１のセル内でフレキシブルサブフレーム割り当て方式で動作するように前記無線デバイスを構成する構成情報を、前記無線デバイスへ送信すること（６１０）と、
前記時間ピリオドの期間中の連続的なダウンリンクデータへの応答として前記無線デバイスが送信するものとされるアップリンクフィードバック信号の最小数に対応する、前記フレキシブルサブフレーム割り当て方式に関連付けられる値Ｎｍｉｎを取得すること（６２０）と、
前記時間ピリオドの期間中に前記第１のセルにおいて前記無線デバイスへ連続的なダウンリンクデータを送信すること（６３０）と、
送信された前記連続的なダウンリンクデータへの応答として、前記第１のセルにおいて、少なくとも前記最小数Ｎｍｉｎのアップリンクフィードバック信号を受信すること（６４０）と、
を含む方法。
【請求項１２】
前記第２のセルの前記システム情報をレポートさせるためのリクエストを、前記無線デバイスへ送信すること（６０５）、
をさらに含む、請求項１１に記載の方法。
【請求項１３】
前記第２のセルのシステム情報を、前記無線デバイスから受信すること（６５０）、
をさらに含む、請求項１１〜１２のいずれかに記載の方法。
【請求項１４】
前記システム情報は、前記第２のセルを一意に識別する情報を含む、請求項１１〜１３のいずれかに記載の方法。
【請求項１５】
前記値Ｎｍｉｎを含む情報を、前記無線デバイスへ送信すること（６２５）、
をさらに含む、請求項１１〜１４のいずれかに記載の方法。
【請求項１６】
前記第１のセルは、マルチキャリア動作でのＰＣｅｌｌ又はマルチキャリア動作でのＳＣｅｌｌのうちの１つである、請求項１１〜１５のいずれかに記載の方法。
【請求項１７】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項１１〜１６のいずれかに記載の方法。
【請求項１８】
前記アップリンクフィードバック信号は、ハイブリッド自動再送要求フィードバックの一部としての、確認応答信号及び否定応答信号を含む、請求項１１〜１７のいずれかに記載の方法。
【請求項１９】
前記値Ｎｍｉｎを取得すること（６２０）は、
前記ネットワークノード内に記憶されている前記値Ｎｍｉｎを取り出すことと、
予め定義されるルール、数式又は関数に基づいて前記値Ｎｍｉｎを判定することと、
前記ネットワークノードのバッファ内の、前記無線デバイスに関連付けられているデータの量に基づいて前記値Ｎｍｉｎを判定することと、
のうちの１つを含む、請求項１１〜１８のいずれかに記載の方法。
【請求項２０】
前記時間ピリオドの期間中の連続的なダウンリンクデータへの応答として前記無線デバイスが送信するものとされるアップリンクフィードバック信号の前記最小数に基づいて、前記無線デバイスのためのスケジューリング方式を適応させることと、
適応された前記スケジューリング方式を用いて、前記無線デバイスをスケジューリングすることと、
をさらに含む、請求項１１〜１９のいずれかに記載の方法。
【請求項２１】
前記時間ピリオドの期間中にダウンリンクデータと共に前記無線デバイスをスケジューリングすることの可能なサブフレームの最小数に基づいて、前記フレキシブルサブフレーム割り当て方式の１つ以上のパラメータを適応させること、
をさらに含み、
前記無線デバイスへ送信（６１０）される前記構成情報は、適応された前記フレキシブルサブフレーム割り当て方式で動作するように前記無線デバイスを構成する、
請求項１１〜２０のいずれかに記載の方法。
【請求項２２】
無線デバイス（１１０）であって、
無線通信システム（１００）のネットワークノード（１２０）により運用される第１のセル（１０１）内に位置する場合に、
ある時間ピリオドの少なくとも一部の期間中に前記第１のセルにおいてフレキシブルサブフレーム割り当て方式で構成され、
前記時間ピリオドの期間中に少なくとも１つの自律的ギャップを用いて第２のセルのシステム情報を取得し、
前記フレキシブルサブフレーム割り当て方式に関連付けられる、アップリンクフィードバック信号の最小数に対応する値Ｎｍｉｎを取得し、
前記時間ピリオドの期間中の連続的なダウンリンクデータへの応答として、少なくとも前記最小数Ｎｍｉｎのアップリンクフィードバック信号を送信する、
ように構成される、無線デバイス（１１０）。
【請求項２３】
前記ネットワークノードから、前記第２のセルの前記システム情報をレポートするためのリクエストを受信し、
前記リクエストへの応答として前記システム情報を取得する、
ようにさらに構成される、請求項２２に記載の無線デバイス（１１０）。
【請求項２４】
取得された前記システム情報を前記ネットワークノードへ送信する、
ようにさらに構成される、請求項２２〜２３のいずれかに記載の無線デバイス（１１０）。
【請求項２５】
前記第２のセルを一意に識別する情報を含む前記システム情報を取得する、ように構成される、請求項２２〜２４のいずれかに記載の無線デバイス（１１０）。
【請求項２６】
前記第１のセルにおいて前記ネットワークノードから受信される連続的なダウンリンクデータへの応答として、前記第１のセルにおいて前記アップリンクフィードバック信号を送信する、ように構成される、請求項２２〜２５のいずれかに記載の無線デバイス（１１０）。
【請求項２７】
前記値Ｎｍｉｎを含む前記ネットワークノードからの情報を受信すること、
前記無線デバイス内に記憶されている前記値Ｎｍｉｎを取り出すこと、及び
予め定義されるルール、数式又は関数に基づいて前記値Ｎｍｉｎを導出すること、
のうちの１つにより、前記値Ｎｍｉｎを取得する、
ように構成される、請求項２２〜２６のいずれかに記載の無線デバイス（１１０）。
【請求項２８】
前記ネットワークノードから受信される構成情報に基づいて、前記フレキシブルサブフレーム割り当て方式で構成される、請求項２２〜２７のいずれかに記載の無線デバイス（１１０）。
【請求項２９】
前記第１のセルは、サービングセル、マルチキャリア動作でのＰＣｅｌｌ、又はマルチキャリア動作でのＳＣｅｌｌ、のうちの１つである、請求項２２〜２８のいずれかに記載の無線デバイス（１１０）。
【請求項３０】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項２２〜２９のいずれかに記載の無線デバイス（１１０）。
【請求項３１】
前記アップリンクフィードバック信号は、ハイブリッド自動再送要求フィードバックの一部としての、確認応答信号及び否定応答信号を含む、請求項２２〜３０のいずれかに記載の無線デバイス（１１０）。
【請求項３２】
第１のセル（１０１）を運用するように構成される無線通信システム（１００）のためのネットワークノード（１２０）であって、前記第１のセル（１０１）により無線デバイス（１１０）がサービスされ、
前記無線デバイスが第２のセルのシステム情報を取得する時間ピリオドの少なくとも一部の期間中に、前記第１のセル内でフレキシブルサブフレーム割り当て方式で動作するように前記無線デバイスを構成する構成情報を、前記無線デバイスへ送信し、
前記時間ピリオドの期間中の連続的なダウンリンクデータへの応答として前記無線デバイスが送信するものとされるアップリンクフィードバック信号の最小数に対応する、前記フレキシブルサブフレーム割り当て方式に関連付けられる値Ｎｍｉｎを取得し、
前記時間ピリオドの期間中に前記第１のセルにおいて前記無線デバイスへ連続的なダウンリンクデータを送信し、
送信された前記連続的なダウンリンクデータへの応答として、前記第１のセルにおいて、少なくとも前記最小数Ｎｍｉｎのアップリンクフィードバック信号を受信する、
ようにさらに構成される、ネットワークノード（１２０）。
【請求項３３】
前記第２のセルの前記システム情報をレポートさせるためのリクエストを、前記無線デバイスへ送信する、
ようにさらに構成される、請求項３２に記載のネットワークノード（１２０）。
【請求項３４】
前記第２のセルのシステム情報を、前記無線デバイスから受信する、
ようにさらに構成される、請求項３２〜３３のいずれかに記載のネットワークノード（１２０）。
【請求項３５】
前記システム情報は、前記第２のセルを一意に識別する情報を含む、請求項３２〜３４のいずれかに記載のネットワークノード（１２０）。
【請求項３６】
前記値Ｎｍｉｎを含む情報を、前記無線デバイスへ送信する、
ようにさらに構成される、請求項３２〜３５のいずれかに記載のネットワークノード（１２０）。
【請求項３７】
前記第１のセルは、マルチキャリア動作でのＰＣｅｌｌ又はマルチキャリア動作でのＳＣｅｌｌのうちの１つである、請求項３２〜３６のいずれかに記載のネットワークノード（１２０）。
【請求項３８】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項３２〜３７のいずれかに記載のネットワークノード（１２０）。
【請求項３９】
前記アップリンクフィードバック信号は、ハイブリッド自動再送要求フィードバックの一部としての、確認応答信号及び否定応答信号を含む、請求項３２〜３８のいずれかに記載のネットワークノード（１２０）。
【請求項４０】
前記ネットワークノード内に記憶されている前記値Ｎｍｉｎを取り出すこと、
予め定義されるルール、数式又は関数に基づいて前記値Ｎｍｉｎを判定すること、及び
前記ネットワークノードのバッファ内の、前記無線デバイスに関連付けられているデータの量に基づいて前記値Ｎｍｉｎを判定すること、
のうちの１つにより、前記値Ｎｍｉｎを取得する、
ように構成される、請求項３２〜３８のいずれかに記載のネットワークノード（１２０）。
【請求項４１】
前記時間ピリオドの期間中の連続的なダウンリンクデータへの応答として前記無線デバイスが送信するものとされるアップリンクフィードバック信号の前記最小数に基づいて、前記無線デバイスのためのスケジューリング方式を適応させ、
適応された前記スケジューリング方式を用いて、前記無線デバイスをスケジューリングする、
ようにさらに構成される、請求項３２〜４０のいずれかに記載のネットワークノード（１２０）。
【請求項４２】
前記時間ピリオドの期間中にダウンリンクデータと共に前記無線デバイスをスケジューリングすることの可能なサブフレームの最小数に基づいて、前記フレキシブルサブフレーム割り当て方式の１つ以上のパラメータを適応させ、
適応された前記フレキシブルサブフレーム割り当て方式で動作するように前記無線デバイスを構成する構成情報を、前記無線デバイスへ送信する、
ようにさらに構成される、請求項３２〜４１のいずれかに記載のネットワークノード（１２０）。
【請求項４３】
無線デバイス（１１０）上で実行される場合に、前記無線デバイスに請求項１〜１０のいずれかに記載の方法を行わせるコンピュータ読取可能なコード、を含むコンピュータプログラム（７０１）。
【請求項４４】
ネットワークノード（１２０）上で実行される場合に、前記ネットワークノードに請求項１１〜２１のいずれかに記載の方法を行わせるコンピュータ読取可能なコード、を含むコンピュータプログラム（７９１）。
【請求項４５】
コンピュータ読取可能な媒体（７０３，７９３）であって、前記コンピュータ読取可能な媒体に請求項４３〜４４のいずれかに記載のコンピュータプログラム（７０１，７９１）が記憶される、コンピュータ読取可能な媒体。
【手続補正２】
【補正対象書類名】明細書
【補正対象項目名】００３２
【補正方法】変更
【補正の内容】
【００３２】
【図１ａ】２つのレガシーＴＤＤコンフィグレーションからなされる、ダイナミックＴＤＤコンフィグレーションの概略図である。
【図１ｂ】ここでの実施形態が実装され得る例示的な無線通信システム１００の概略図である。
【図２】実施形態に係る例示的な方法を概略的に示すフローチャートである。
【図３ａ】本発明のいくつかの実施形態に係る無線デバイスにおける例示的な方法を示すフローチャートである。
【図３ｂ】本発明のいくつかの実施形態に係る無線デバイスを概略的に示すブロック図である。
【図４ａ】本発明のいくつかの実施形態に係るネットワークノードにおける例示的な方法を示すフローチャートである。
【図４ｂ】本発明のいくつかの実施形態に係るネットワークノードを概略的に示すブロック図である。
【図５ａ】本発明のいくつかの実施形態に係る無線デバイスにおける方法を示すフローチャートである。
【図５ｂ】本発明のいくつかの実施形態に係る無線デバイスにおける方法を示すフローチャートである。
【図６ａ】本発明のいくつかの実施形態に係るネットワークノードにおける方法を示すフローチャートである。
【図６ｂ】本発明のいくつかの実施形態に係るネットワークノードにおける方法を示すフローチャートである。
【図７ａ】本発明のいくつかの実施形態に係る無線デバイスを概略的に示すブロック図である。
【図７ｂ】本発明のいくつかの実施形態に係るネットワークノードを概略的に示すブロック図である。
【手続補正３】
【補正対象書類名】明細書
【補正対象項目名】００４８
【補正方法】変更
【補正の内容】
【００４８】
ダイナミックＴＤＤサブフレーム割り当て（例えば、ダイナミックＴＤＤシステム、又はＨＤ−ＦＤＤ動作）において、一群のサブフレームは固定的なサブフレームであり、一方でその他はフレキシブルサブフレームである。固定的なサブフレームとは、全ての無線フレームにおいてＵＬサブフレームであるか、又は全ての無線フレームにおいてＤＬサブフレームであるか、のいずれかである。フレキシブルサブフレームは、ある無線フレームにおいてはＵＬサブフレームであり、他の無線フレームにおいてはＤＬサブフレームであることができる。ＵＬ方向又はＤＬ方向の割り当ては、動的なやり方でなされる。サービングセルの性能は、ＵＥがそのサービングセルにおいて送受信を行うことのできるサブフレーム数の観点で表現され得る。ＵＥは、あるセルのＳＩを取得するために自律的ギャップを生成するかもしれない。しかしながら、ＵＥが自律的ギャップを生成する場合、ダイナミックＵＬ／ＤＬサブフレーム割り当ては、サービングセルの性能をなお一層予測不能にする。ここでの少なくともいくつかの実施形態により、この問題が解決される。よって、ここでの実施形態は、システム性能を改善させる。
【手続補正４】
【補正対象書類名】明細書
【補正対象項目名】０１１４
【補正方法】変更
【補正の内容】
【０１１４】
［ＵＥにより実行される方法の非限定的な例の一覧］
１．第１のセルを運用する第１のネットワークノードによりサービスされるＵＥにおける、第２のネットワークノードにより運用される第２のセルのＳＩを取得するための方法であって、
・ある時間ピリオド（Ｔ０）の期間中に第２のセルのＳＩを取得するための自律的ギャップを生成することと、
・上記時間ピリオド（例えば、Ｔ０）の期間中の第１のネットワークノードによる上記ＵＥへのＤＬデータの連続的な送信への応答として上記ＵＥが送信することを要するＵＬフィードバック信号の最小数を判定することと、
・送信されるべき上記ＵＬフィードバック信号の上記最小数は、ダイナミック又はフレキシブルサブフレーム割り当て方式に関連付けられることと、
・当該方式によれば上記時間ピリオド（例えば、Ｔ０）の期間中に少なくとも１つのサブフレームがＵＬサブフレーム、ＤＬサブフレーム及びスペシャルサブフレームのうちの少なくとも任意の２つの間で変化し得ることと、
・上記時間ピリオド（例えば、Ｔ０）の期間中のＤＬデータの上記連続的な送信への応答として、判定された上記最小数のＵＬフィードバック信号を送信することと、
を含む方法。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
無線通信システム（１００）のネットワークノード（１２０）により運用される第１のセル（１０１）内に位置する無線デバイス（１１０）において実行される方法であって、
ある時間ピリオドの期間中に少なくとも１つの自律的ギャップを用いて第２のセルのシステム情報を取得すること（５１０）と、前記無線デバイスは、前記時間ピリオドの少なくとも一部の期間中に前記第１のセルにおいてフレキシブルサブフレーム割り当て方式で構成されることと、
前記フレキシブルサブフレーム割り当て方式に関連付けられる、アップリンクフィードバック信号の最小数に対応する値Ｎｍｉｎを取得すること（５２０）と、
前記時間ピリオドの期間中の連続的なダウンリンクデータへの応答として、少なくとも前記最小数Ｎｍｉｎのアップリンクフィードバック信号を送信すること（５３０）と、
を含む方法。
【請求項２】
前記ネットワークノードから、前記第２のセルの前記システム情報をレポートするためのリクエストを受信すること（５０５）と、前記システム情報は、前記リクエストへの応答として取得されること（５１０）と、
をさらに含む、請求項１に記載の方法。
【請求項３】
取得された前記システム情報を前記ネットワークノードへ送信すること（５４０）、
をさらに含む、請求項１又は請求項２に記載の方法。
【請求項４】
前記システム情報は、前記第２のセルを一意に識別する情報を含む、請求項１〜３のいずれかに記載の方法。
【請求項５】
前記アップリンクフィードバック信号は、前記第１のセルにおいて前記ネットワークノードから受信される連続的なダウンリンクデータへの応答として、前記第１のセルにおいて送信される、請求項１〜４のいずれかに記載の方法。
【請求項６】
前記値Ｎｍｉｎを取得すること（５２０）は、
前記値Ｎｍｉｎを含む前記ネットワークノードからの情報を受信することと、
前記無線デバイス内に記憶されている前記値Ｎｍｉｎを取り出すことと、
予め定義されるルール、数式又は関数に基づいて前記値Ｎｍｉｎを導出することと、
のうちの１つを含む、請求項１〜５のいずれかに記載の方法。
【請求項７】
前記無線デバイスは、前記ネットワークノードから受信される構成情報に基づいて、前記フレキシブルサブフレーム割り当て方式で構成される、請求項１〜６のいずれかに記載の方法。
【請求項８】
前記第１のセルは、サービングセル、マルチキャリア動作でのＰＣｅｌｌ、又はマルチキャリア動作でのＳＣｅｌｌ、のうちの１つである、請求項１〜７のいずれかに記載の方法。
【請求項９】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項１〜８のいずれかに記載の方法。
【請求項１０】
前記アップリンクフィードバック信号は、ハイブリッド自動再送要求フィードバックの一部としての、確認応答信号及び否定応答信号を含む、請求項１〜９のいずれかに記載の方法。
【請求項１１】
第１のセル（１０１）を運用する無線通信システム（１００）のネットワークノード（１２０）において実行される方法であって、前記第１のセル（１０１）により無線デバイス（１１０）がサービスされ、
前記無線デバイスが第２のセルのシステム情報を取得する時間ピリオドの少なくとも一部の期間中に、前記第１のセル内でフレキシブルサブフレーム割り当て方式で動作するように前記無線デバイスを構成する構成情報を、前記無線デバイスへ送信すること（６１０）と、
前記時間ピリオドの期間中の連続的なダウンリンクデータへの応答として前記無線デバイスが送信するものとされるアップリンクフィードバック信号の最小数に対応する、前記フレキシブルサブフレーム割り当て方式に関連付けられる値Ｎｍｉｎを取得すること（６２０）と、
前記時間ピリオドの期間中に前記第１のセルにおいて前記無線デバイスへ連続的なダウンリンクデータを送信すること（６３０）と、
送信された前記連続的なダウンリンクデータへの応答として、前記第１のセルにおいて、少なくとも前記最小数Ｎｍｉｎのアップリンクフィードバック信号を受信すること（６４０）と、
を含む方法。
【請求項１２】
前記第２のセルの前記システム情報をレポートさせるためのリクエストを、前記無線デバイスへ送信すること（６０５）、
をさらに含む、請求項１１に記載の方法。
【請求項１３】
前記第２のセルのシステム情報を、前記無線デバイスから受信すること（６５０）、
をさらに含む、請求項１１〜１２のいずれかに記載の方法。
【請求項１４】
前記システム情報は、前記第２のセルを一意に識別する情報を含む、請求項１１〜１３のいずれかに記載の方法。
【請求項１５】
前記値Ｎｍｉｎを含む情報を、前記無線デバイスへ送信すること（６２５）、
をさらに含む、請求項１１〜１４のいずれかに記載の方法。
【請求項１６】
前記第１のセルは、マルチキャリア動作でのＰＣｅｌｌ又はマルチキャリア動作でのＳＣｅｌｌのうちの１つである、請求項１１〜１５のいずれかに記載の方法。
【請求項１７】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項１１〜１６のいずれかに記載の方法。
【請求項１８】
前記アップリンクフィードバック信号は、ハイブリッド自動再送要求フィードバックの一部としての、確認応答信号及び否定応答信号を含む、請求項１１〜１７のいずれかに記載の方法。
【請求項１９】
前記値Ｎｍｉｎを取得すること（６２０）は、
前記ネットワークノード内に記憶されている前記値Ｎｍｉｎを取り出すことと、
予め定義されるルール、数式又は関数に基づいて前記値Ｎｍｉｎを判定することと、
前記ネットワークノードのバッファ内の、前記無線デバイスに関連付けられているデータの量に基づいて前記値Ｎｍｉｎを判定することと、
のうちの１つを含む、請求項１１〜１８のいずれかに記載の方法。
【請求項２０】
前記時間ピリオドの期間中の連続的なダウンリンクデータへの応答として前記無線デバイスが送信するものとされるアップリンクフィードバック信号の前記最小数に基づいて、前記無線デバイスのためのスケジューリング方式を適応させることと、
適応された前記スケジューリング方式を用いて、前記無線デバイスをスケジューリングすることと、
をさらに含む、請求項１１〜１９のいずれかに記載の方法。
【請求項２１】
前記時間ピリオドの期間中にダウンリンクデータと共に前記無線デバイスをスケジューリングすることの可能なサブフレームの最小数に基づいて、前記フレキシブルサブフレーム割り当て方式の１つ以上のパラメータを適応させること、
をさらに含み、
前記無線デバイスへ送信（６１０）される前記構成情報は、適応された前記フレキシブルサブフレーム割り当て方式で動作するように前記無線デバイスを構成する、
請求項１１〜２０のいずれかに記載の方法。
【請求項２２】
無線デバイス（１１０）であって、
無線通信システム（１００）のネットワークノード（１２０）により運用される第１のセル（１０１）内に位置する場合に、
ある時間ピリオドの少なくとも一部の期間中に前記第１のセルにおいてフレキシブルサブフレーム割り当て方式で構成され、
前記時間ピリオドの期間中に少なくとも１つの自律的ギャップを用いて第２のセルのシステム情報を取得し、
前記フレキシブルサブフレーム割り当て方式に関連付けられる、アップリンクフィードバック信号の最小数に対応する値Ｎｍｉｎを取得し、
前記時間ピリオドの期間中の連続的なダウンリンクデータへの応答として、少なくとも前記最小数Ｎｍｉｎのアップリンクフィードバック信号を送信する、
ように構成される、無線デバイス（１１０）。
【請求項２３】
前記ネットワークノードから、前記第２のセルの前記システム情報をレポートするためのリクエストを受信し、
前記リクエストへの応答として前記システム情報を取得する、
ようにさらに構成される、請求項２２に記載の無線デバイス（１１０）。
【請求項２４】
取得された前記システム情報を前記ネットワークノードへ送信する、
ようにさらに構成される、請求項２２〜２３のいずれかに記載の無線デバイス（１１０）。
【請求項２５】
前記第２のセルを一意に識別する情報を含む前記システム情報を取得する、ように構成される、請求項２２〜２４のいずれかに記載の無線デバイス（１１０）。
【請求項２６】
前記第１のセルにおいて前記ネットワークノードから受信される連続的なダウンリンクデータへの応答として、前記第１のセルにおいて前記アップリンクフィードバック信号を送信する、ように構成される、請求項２２〜２５のいずれかに記載の無線デバイス（１１０）。
【請求項２７】
前記値Ｎｍｉｎを含む前記ネットワークノードからの情報を受信すること、
前記無線デバイス内に記憶されている前記値Ｎｍｉｎを取り出すこと、及び
予め定義されるルール、数式又は関数に基づいて前記値Ｎｍｉｎを導出すること、
のうちの１つにより、前記値Ｎｍｉｎを取得する、
ように構成される、請求項２２〜２６のいずれかに記載の無線デバイス（１１０）。
【請求項２８】
前記ネットワークノードから受信される構成情報に基づいて、前記フレキシブルサブフレーム割り当て方式で構成される、請求項２２〜２７のいずれかに記載の無線デバイス（１１０）。
【請求項２９】
前記第１のセルは、サービングセル、マルチキャリア動作でのＰＣｅｌｌ、又はマルチキャリア動作でのＳＣｅｌｌ、のうちの１つである、請求項２２〜２８のいずれかに記載の無線デバイス（１１０）。
【請求項３０】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項２２〜２９のいずれかに記載の無線デバイス（１１０）。
【請求項３１】
前記アップリンクフィードバック信号は、ハイブリッド自動再送要求フィードバックの一部としての、確認応答信号及び否定応答信号を含む、請求項２２〜３０のいずれかに記載の無線デバイス（１１０）。
【請求項３２】
第１のセル（１０１）を運用するように構成される無線通信システム（１００）のためのネットワークノード（１２０）であって、前記第１のセル（１０１）により無線デバイス（１１０）がサービスされ、
前記無線デバイスが第２のセルのシステム情報を取得する時間ピリオドの少なくとも一部の期間中に、前記第１のセル内でフレキシブルサブフレーム割り当て方式で動作するように前記無線デバイスを構成する構成情報を、前記無線デバイスへ送信し、
前記時間ピリオドの期間中の連続的なダウンリンクデータへの応答として前記無線デバイスが送信するものとされるアップリンクフィードバック信号の最小数に対応する、前記フレキシブルサブフレーム割り当て方式に関連付けられる値Ｎｍｉｎを取得し、
前記時間ピリオドの期間中に前記第１のセルにおいて前記無線デバイスへ連続的なダウンリンクデータを送信し、
送信された前記連続的なダウンリンクデータへの応答として、前記第１のセルにおいて、少なくとも前記最小数Ｎｍｉｎのアップリンクフィードバック信号を受信する、
ようにさらに構成される、ネットワークノード（１２０）。
【請求項３３】
前記第２のセルの前記システム情報をレポートさせるためのリクエストを、前記無線デバイスへ送信する、
ようにさらに構成される、請求項３２に記載のネットワークノード（１２０）。
【請求項３４】
前記第２のセルのシステム情報を、前記無線デバイスから受信する、
ようにさらに構成される、請求項３２〜３３のいずれかに記載のネットワークノード（１２０）。
【請求項３５】
前記システム情報は、前記第２のセルを一意に識別する情報を含む、請求項３２〜３４のいずれかに記載のネットワークノード（１２０）。
【請求項３６】
前記値Ｎｍｉｎを含む情報を、前記無線デバイスへ送信する、
ようにさらに構成される、請求項３２〜３５のいずれかに記載のネットワークノード（１２０）。
【請求項３７】
前記第１のセルは、マルチキャリア動作でのＰＣｅｌｌ又はマルチキャリア動作でのＳＣｅｌｌのうちの１つである、請求項３２〜３６のいずれかに記載のネットワークノード（１２０）。
【請求項３８】
前記フレキシブルサブフレーム割り当て方式は、ダイナミック時間分割複信（ＴＤＤ）、又は半二重周波数分割複信（ＨＤ−ＦＤＤ）サブフレーム割り当て方式である、請求項３２〜３７のいずれかに記載のネットワークノード（１２０）。
【請求項３９】
前記アップリンクフィードバック信号は、ハイブリッド自動再送要求フィードバックの一部としての、確認応答信号及び否定応答信号を含む、請求項３２〜３８のいずれかに記載のネットワークノード（１２０）。
【請求項４０】
前記ネットワークノード内に記憶されている前記値Ｎｍｉｎを取り出すこと、
予め定義されるルール、数式又は関数に基づいて前記値Ｎｍｉｎを判定すること、及び
前記ネットワークノードのバッファ内の、前記無線デバイスに関連付けられているデータの量に基づいて前記値Ｎｍｉｎを判定すること、
のうちの１つにより、前記値Ｎｍｉｎを取得する、
ように構成される、請求項３２〜３８のいずれかに記載のネットワークノード（１２０）。
【請求項４１】
前記時間ピリオドの期間中の連続的なダウンリンクデータへの応答として前記無線デバイスが送信するものとされるアップリンクフィードバック信号の前記最小数に基づいて、前記無線デバイスのためのスケジューリング方式を適応させ、
適応された前記スケジューリング方式を用いて、前記無線デバイスをスケジューリングする、
ようにさらに構成される、請求項３２〜４０のいずれかに記載のネットワークノード（１２０）。
【請求項４２】
前記時間ピリオドの期間中にダウンリンクデータと共に前記無線デバイスをスケジューリングすることの可能なサブフレームの最小数に基づいて、前記フレキシブルサブフレーム割り当て方式の１つ以上のパラメータを適応させ、
適応された前記フレキシブルサブフレーム割り当て方式で動作するように前記無線デバイスを構成する構成情報を、前記無線デバイスへ送信する、
ようにさらに構成される、請求項３２〜４１のいずれかに記載のネットワークノード（１２０）。
【請求項４３】
無線デバイス（１１０）上で実行される場合に、前記無線デバイスに請求項１〜１０のいずれかに記載の方法を行わせるコンピュータ読取可能なコード、を含むコンピュータプログラム（７０１）。
【請求項４４】
ネットワークノード（１２０）上で実行される場合に、前記ネットワークノードに請求項１１〜２１のいずれかに記載の方法を行わせるコンピュータ読取可能なコード、を含むコンピュータプログラム（７９１）。
【請求項４５】
コンピュータ読取可能な媒体（７０３）であって、前記コンピュータ読取可能な媒体に請求項４３に記載のコンピュータプログラム（７０１）が記憶される、コンピュータ読取可能な媒体。
【請求項４６】
コンピュータ読取可能な媒体（７９３）であって、前記コンピュータ読取可能な媒体に請求項４４に記載のコンピュータプログラム（７９１）が記憶される、コンピュータ読取可能な媒体。
【国際調査報告】
2017510147.tif 000019
2017510147.tif 000020
2017510147.tif 000021